(57)【要約】【課題】  受動的なノードによりリングネットワーク内でプロテクションスイッチング機能を提供する光ネットワークを提供すること。【解決手段】  光ネットワークは、複数の波長で光トラフィックを伝送する光リングを含み、光リングに結合された多数の受動的な付加／除去ノード（ＡＤＮ）を含む。ＡＤＮは光リングに結合され、光リング上の光トラフィックを受信する光カプラを含む。光カプラは光トラフィックの複製を受動的に除去し、同一の光トラフィックの複製を光リングで受動的に転送する。ＡＤＮは光カプラにより転送された光トラフィックのどの部分も終端させない。ネットワークは光リングにそれぞれ結合される多数のゲートウエーノードも有し、そのノードは光トラフィックの各波長を選択的に通過又は終端させる。ネットワークは、ＡＤＮのどれも光リング内で互いに隣接せず、ＡＤＮとゲートウエーノードとが光リングに結合されるよう構成される。【選択図】  図１
2006020308.tif 000002
【特許請求の範囲】
【請求項１】
複数の波長で光トラフィックを伝送する光リング；
前記光リングに結合された複数の受動的な付加及び除去ノードであって、該受動的な付加及び除去ノードの各々は前記光リングに結合された光カプラを有し、該光カプラは前記光リング上の光トラフィックを受信し、光トラフィックの複製を受動的に除去すること及び同一の光トラフィックの複製を光リングで受動的に転送することの双方を行い、該光カプラにより転送された光トラフィックのどの部分も終端させない複数の受動的な付加及び除去ノード；及び
複数のゲートウエーノードであって、ゲートウエーノードの各々は前記光リングに結合され、光トラフィックの波長の各々を選択的に通過又は終端させる複数のゲートウエーノード；
を有し、前記受動的な付加及び除去ノードのどれも前記光リング内で互いに隣接しないように、前記受動的な付加及び除去ノードと前記ゲートウエーノードとが前記光リングに結合される
ことを特徴とする光ネットワーク。
【請求項２】
受動的な付加及び除去ノードの光カプラの各々が、トラフィックを光リングに受動的に付加する
ことを特徴とする請求項１記載の光ネットワーク。
【請求項３】
前記受動的な付加及び除去ノードの各々が、受動的な付加／除去ノードの１以上のクライアントからのトラフィックを光リングに受動的に付加する第２の光カプラを有する
ことを特徴とする請求項１記載の光ネットワーク。
【請求項４】
前記光リングが、第1方向にトラフィックを伝送する第1の光ファイバと、前記第1の方向とは逆の第２の方向にトラフィックを伝送する第２の光ファイバとを有する
ことを特徴とする請求項１記載の光ネットワーク。
【請求項５】
受動的な付加及び除去ノードの各々が、光トラフィックのチャネル間隔によらず光トラフィックを付加及び除去する
ことを特徴とする請求項１記載の光ネットワーク。
【請求項６】
どの受動的な付加及び除去ノードも光リング内で互いに隣接しないように複数の受動的な付加及び除去ノードと複数のゲートウエーノードとを有する、複数の波長で光トラフィックを搬送する光リングを用意し；
１以上の受動的な付加及び除去ノードの光カプラを利用して、光リングからの光トラフィックの複製を受動的に除去し、転送された光トラフィックのどの部分も終端させずに光リングで同一の光トラフィックの複製を受動的に転送し；
複数のゲートウエーノードの各々で光トラフィックの各波長を選択的に通過又は終端させる；
ことを特徴とする光トラフィックを通信する方法。
【請求項７】
１以上の受動的な付加及び除去ノードの光カプラを利用してトラフィックを光リングに受動的に付加する
ことを特徴とする請求項６記載の方法。
【請求項８】
受動的な付加及び除去ノードの各々の第２の光カプラを利用して、受動的な付加及び除去ノードの１以上のクライアントからのトラフィックを光リングに受動的に付加する
ことを特徴とする請求項６記載の方法。
【請求項９】
前記光リングが、第1方向にトラフィックを伝送する第1の光ファイバと、前記第1の方向とは逆の第２の方向にトラフィックを伝送する第２の光ファイバとを有する
ことを特徴とする請求項６記載の方法。
【請求項１０】
受動的な付加及び除去ノードの各々が、光トラフィックのチャネル間隔によらず光トラフィックを付加及び除去する
ことを特徴とする請求項６記載の方法。
【発明の詳細な説明】
【技術分野】
【０００１】
本発明は一般に光伝送システムに関連し、特にハイブリッド光リングネットワークに関連する。
【背景技術】
【０００２】
遠距離通信、ケーブルテレビジョンシステム及びデータ通信ネットワークは遠隔氏たち転換で大量の情報を速やかに搬送するために光ネットワークを使用する。光ネットワークでは、情報は光ファイバによる光信号の形式で搬送される。光ファイバは非常に低損失で長距離にわたって信号を伝送できる細いガラス線より成る。
【０００３】
しばしば光ネットワークは伝送容量を増やすために波長分割多重化（ＷＤＭ）や高密度波長分割多重化を行う。ＷＤＭ及びＤＷＤＭネットワークでは、多数の光チャネルが異なる波長で各ファイバで搬送される。ネットワーク容量は各ファイバ及び帯域内の波長数やチャネル数又はチャネルのサイズに依存する。
【０００４】
ＷＤＭ及びＤＷＤＭネットワークが構築されるトポロジはそのようなネットワークが使用される範囲を決定する上で重要な役割を演じる。リングトポロジは今日のネットワークで一般的である。付加／除去ノードは典型的にはそのような光リングにおけるネットワーク要素として機能する。付加／除去ノードは「アクティブな（能動的）」ノードであり、典型的には、マイクロエレクトロメカニカルスイッチ（ＭＥＭＳ）、アレイ状のウエーブガイド格子（ＡＷＧ）、インターリーバ、及び／又はファイバ格子（ＦＧ）を含み、リングからのトラフィックを付加及び除去し、付加／除去ノードでトラフィックを多重化し及び分離する。
【発明の開示】
【発明が解決しようとする課題】
【０００５】
本発明の課題は、アクティブノードで分離されたパッシブな（受動的）ノードによりリングネットワーク内でプロテクションスイッチング機能を提供する光ネットワーク及び光トラフィックの通信方法を提供することである。
【課題を解決するための手段】
【０００６】
本発明の一態様による光ネットワークは、複数の波長で光トラフィックを伝送する光リングを含む。ネットワークは光リングに結合された多数の受動的な付加及び除去ノードを含む。該受動的な付加及び除去ノードの各々は前記光リングに結合され、前記光リング上の光トラフィックを受信する光カプラを含む。光カプラは、光トラフィックの複製を受動的に除去すること及び同一の光トラフィックの複製を光リングで受動的に転送することの双方を行う。付加及び除去ノードは光カプラにより転送された光トラフィックのどの部分も終端させない。ネットワークは光リングにそれぞれ結合される多数のゲートウエーノードも有する。ゲートウエーノードは光トラフィックの波長の各々を選択的に通過又は終端させる。更に、ネットワークは、受動的な付加及び除去ノードのどれも光リング内で互いに隣接しないように、受動的な付加及び除去ノードとゲートウエーノードとが光リングに結合されるよう構成される。
【発明を実施するための最良の形態】
【０００７】
本発明の１以上の形態による技術的利点は改善された光リングネットワークを提供することを含む。特定の形態では、そのようなネットワークは多数のパッシブな付加／除去ノードを含み、そのノードは、ノードを通過する光トラフィックの特定の波長を遮るのに経路内に阻止フィルタを必要とせず及びアクティブなゲートウエーで各々が分離され、そのアクティブなゲートウエーはネットワークに関する選択された波長の伝送を制御することができる。これは低コスト且つより狭い狭帯域ネットワークをもたらし、そのネットワークはパッシブノードに経路中に阻止フィルタを設けることを要求せずに及びゲートウエーノードが一部の波長変換を実行することを要求せずにプロテクションスイッチング機能を提供する。比較のため、経路内に阻止フィルタのないパッシブなノードを有する（但し、あるプロテクションスイッチング機能に関する部分的な波長変換を実行するゲートウエーを含む）ネットワークは、米国特許出願第１０／４４８，１６９号に記載されている。
【０００８】
本発明に関する様々な形態は上記の技術的利点の全部又は一部を含んでもよいし、全く含まなくてもよい。更に、本発明に関する他の技術的利点は詳細な説明、添付された図面及び特許請求の範囲から当業者に明白になるであろう。
【実施例１】
【０００９】
図１は本発明の一実施例による光ネットワーク１０を示すブロック図である。ネットワーク１０は多数の光チャネルを含む光信号がそのネットワーク１０で伝送されるところの光ネットワークである。各チャネルは異なるチャネルで共通の経路上で様々なトラフィックを伝送することができる。各チャネルは波長特性に関連付けられ、ここでは「チャネル」及び「波長」なる用語は適切であるならば可換に使用される。ネットワーク１０は波長分割多重化（ＷＤＭ）方式の、高密度波長分割多重化（ＤＷＤＭ）方式の又は他の適切なまるちチャネル方式のネットワークでもよい。ネットワーク１０は短距離大都市ネットワーク、長距離都市間ネットワーク若しくは他の適切なネットワーク又はそれらのネットワークの組み合わせとして使用されてもよい。
【００１０】
図示の例ではネットワーク１０は光リングである。光リングは、単独の単方向のファイバ、単独の双方向のファイバ又は単方向若しくは双方向の複数のファイバを適切に含んでもよい。図示の例では、ネットワーク１０は一対の単方向のファイバ又はリング１６，１８を含み、その各々は反対方向にトラフィックを伝送する。リング１６，１８は付加／除去ノード（ＡＤＮ）１２及び光ゲートウエー１４の複数個を接続する。図１に記載の特定の実施例及び本明細書で説明される他の実施例では、ＡＮＤ１２及びゲートウエー１４はリング１６，１８に交互に結合される。言い換えれば、ＡＮＤ１２の各々は少なくとも１つのゲートウエー１４によって他のＡＤＮ１２から分離される。以下に説明されるように、この分離は、ＡＤＮが経路中の阻止フィルタを備えることを必要とせずに及びゲートウエーがいかなる信号でもその波長変換を実行することを必要とせずにネットワーク１０内でプロテクションスイッチングを可能にする。
【００１１】
図１を参照するに、光情報信号はリング１６，１８で異なる方向に伝送される。光信号は音声の、映像の、テキストの、リアルタイムの、非リアルタイムの及び／又は他の適切なデータをエンコードするための少なくとも１つの属性を備えている。変調は、位相シフトキーイング（ＰＳＫ）、強度変調（ＩＭ）又は他の適切な技法に基づいてもよい。
【００１２】
図示の例では第1のリング１６は時計回りリングであり、トラフィックは時計回りの方向に伝送される。第２のリング１８は反時計回りリングであり、トラフィックは反時計回りの方向に伝送される。ＡＤＮ１２の各々はリング１６，１８に受動的にトラフィックを付加し、リング１６，１８からトラフィックを受動的に除去するよう機能する。特に、ＡＤＮ１２の各々はローカルクライアントからトラフィックを受信し、そのトラフィックをリング１６，１８に付加する。同時に、各ＡＤＮ１２はリング１６，１８からトラフィックを受信し、そのローカルクライアント宛のトラフィックを除去する又は落とす。本明細書及び特許請求の範囲を通じて使用されるように、「各々」（又は「各」）は指定された項目の少なくとも１つの部分集合１つ１つの全てを意味する。トラフィックを付加及び除去する際に、ＡＤＮ１２の各々はクライアントからのデータをリング１６，１８で送信するために結合し、及びそのクライアント用にリング１６，１８からチャネルを落とす。トラフィックは、そのトラフィックをローカルクライアントへの伝送に利用可能にすることで「ドロップ（ｄｒｏｐ）」される。したがって、トラフィックは除去されてもよいし、リング上で更に巡回させてもよい。
【００１３】
ＡＤＮ１２はトラフィックのチャネル間隔によらずリング１６，１８に及びそこからトラフィックを受動的に付加及び除去し、「柔軟な（フレキシブルな）」チャネル間隔を提供する。この場合における「受動的に」はパワー、電力及び／又は可動部分なしにチャネルを付加及び除去することを意味する。「能動的な」装置はパワー、電気又は可動部分を用いて機能を実行する。本発明の特定の実施例では、トラフィックは、デマルチプレクスを実行せずに信号を分割することで及び複数の信号をリング１６，１８で伝送される信号に結合することで、リング１６，１８に及び／又はそこから受動的に付加及び除去されてもよい。
【００１４】
一方、ゲートウエー１４はリング１６，１８上で受信した光信号を分離（デマルチプレクス）し、光信号の各チャネルがゲートウエー１４により選択的に伝送され又は終端されるようにする。要するに、ゲートウエーは各自のあて先に達したトラフィックチャネルを終端し、各自のあて先に達していないトラフィックチャネルを転送するように使用される。ある実施例ではゲートウエー１４はＡＤＮ１２と同様の付加／除去する機能を備えてもよい。ＡＤＮ１２は経路中の阻止フィルタを備えないので、ＡＤＮ１２全体を含むネットワーク１０は干渉を生じさせるかもしれない（トラフィックはそのあて先に達した後でさえもリング１６，１８を巡回し続けるかもしれないからである。）。従って、ゲートウエー１４は通常の動作中及びプロテクションスイッチング中の双方でその干渉を防ぐように設けられる。これらのゲートウエーについての更なる詳細は図４，５に関連して以下に説明される。
【００１５】
更に、リング１６，１８はゲートウエー１４を用いてサブネットワーク又は「サブネット」に二次的に分割されてもよく、そのゲートウエー１４は隣接するサブネット間の境界を形成する。サブネットはリング上の複数のノード（ＡＤＮ１２及び／又はゲートウエー１４）の部分集合として定義されてもよく、そのリングの波長は互いに分離されず、リングはサブネット内のノードからのトラフィックストリームを有するが、リングの波長はそのリング上の他のノードからのトラフィックストリームから分離される。但し、各自のあて先ノードに達するためにサブネットを通過し、進入し又は進出するトラフィックストリームを伝送する波長部分は（少なくとも通常動作中は）例外である。
【００１６】
各サブネット内でトラフィックはリング１６，１８に及びそこから受動的に付加及び除去され、チャネル間隔はフレキシブルであり、ノードはサブネット内でノードに及びノードから信号を自由に送受信する。そのようなトラフィックは「イントラ−サブネットトラフィック」（サブネット内トラフィック）として言及されてもよい。トラフィックの別の部分−「インターサブネットトラフィック」（サブネット間トラフィック）−は別のサブネット内でノードへ及びノードから伝播する。そのようなサブネット間トラフィックは２つのサブネットの少なくとも一部内を伝播又は進行する。イントラサブネットトラフィックストリームはそれが伝播するサブネット内でしか波長／チャネルを使用しないので、１つのサブネット内のイントラサブネットトラフィックに使用される波長／チャネルは、べつのサブネットでは別のトラフィックストリームに使用されてよいかもしれない。こうして、個々のサブネット内でフレキシブルなチャネル間隔を維持しつつ、ネットワークの全体的な容量が増やされる。この手法でサブネットを実現することについては米国出願番号第１０／４４８，１６９号に詳細に説明されており、その内容は本願の参考に組み入れられる。しかしながら、米国特許出願番号第１０／４４８，１６９号に説明される実施例とは異なり、図１のネットワーク１０におけるサブネットの実現は、有利なことに、通常動作中にサブネット間の境界として機能する特定のゲートウエー１４を利用することを含み、他のゲートウエー１４はサブネット自身の中に含まれ、（ＡＤＮ１２と共に）付加／除去ノードとして機能する。例えば、ゲートウエー１４ａ，１４ｃは第1サブネット（ＡＤＮ１２ａ，１２ｂ及びゲートウエー１４ｂを含む）及び第２サブネット（ＡＤＮ１２ｃ，１２ｄ及びゲートウエー１４ｄを含む）の間の境界として機能することができる。しかしながら、プロテクションスイッチング動作の場合には、図１に示される交互のノード配置を利用して、ゲートウエー１４は以下に説明されるように機能する。
【００１７】
波長、パワー及び品質パラメータのような信号情報はＡＤＮ１２、ゲートウエー１４で監視され、及び／又は中央制御システムによって監視されてもよい。従って、ＡＤＮ１２及びゲートウエー１４はリング１６，１８の一方又は双方で回線切断や他の中断事由の際に回路保護機能を提供する。光監視チャネル（ＯＳＣ）は互いに通信する又は制御システムと通信するノードによって使用されてもよい。特定の実施例では、図６，７に関連して以下に更に説明されるように、ネットワーク１０はＯＵＰＳＲネットワークでもよく、そのネットワークでは第1ノード（ＡＤＮ１２又はゲートウエー１４）から第２ノードへ送付されたトラフィックは、第1ノードから第２ノードへリング１６，１８双方で通信される。第２ノードが含む要素は、ローカルクライアントへ転送するようにリング１６，１８を通じて到達したトラフィックと、より低いビットエラーレート（ＢＥＲ）、より高いパワーレベル及び／又は他の適切な及び望まれる特性を有するリングからのトラフィックとの間で第２ノードが選択するのを許可する。或いは、そのような要素は、トラフィックが１以上の動作特性に関する選択されたレベルを下回らない／上回らないならば（、あて先リングからのトラフィックを選択してもよいこの場合、他のリングからのトラフィックが選択されてもよい）。そのような双方向の信号を利用することは、リング１６，１８の一方に対する回線障害時又は他の障害時にリング１６，１８の少なくとも他方で第1ノードから第２ノードへのトラフィックを取得可能にする。
【００１８】
他の実施例では、ネットワークはＯＳＰＰＲネットワークを使用してもよく、リング１６，１８の一方は、リング１６，１８の他方での通信が遮られた場合のバックアップ通信経路又はプロテクション経路として使用されてもよい。そのようなバックアップ能力が使用されない場合には、プロテクション経路が他のプレエンプタブルトラフィック（ｐｒｅｅｍｐｔａｂｌｅ  ｔｒａｆｆｉｃ）を通信し、そのような場合にネットワーク１０の容量を増やしてもよい。そのようなＯＳＰＰＲプロテクション法は図８乃至１１に関連して以下に詳細に説明される。
【００１９】
図２は本発明の一実施例によるＡＤＮ１２の詳細を示すブロック図である。図２を参照するに、ＡＤＮ１２は反時計回りの伝送要素５０ａ、時計回りの伝送要素５０ｂ、反時計回りの分配／合成要素８０ａ、時計回りの分配／合成要素８０ｂ及び管理要素１１０を有する。一実施例では、要素５０，８０，１１０更には要素内の素子は光ファイバリンクで相互接続されてもよい。他の実施例ではその素子はプレーナウエーブガイド回路及び／又はフリースペース光学素子で部分的に又は別の手法で実現されてもよい。適切な他のいかなる接続が代替的に使用されてもよい。更に、ＡＤＮ１２の要素の各々はＡＤＮ１２のカード棚内の１以上の個別のカードとして実現されてもよい。更に、１つの要素自身の機能が複数の個別のカードにわたって分散されてもよい。このようにＡＤＮ１２はモジュール式であり、アップグレード可能であり、成長に応じた（ペイアズユーグロー）アーキテクチャをもたらす。図２にはカード棚の例に関する例示的なコネクタ７０が示されている。コネクタ７０は故障した素子に対する効率的且つコスト効果的な置換を可能にする。付加的な、別の及び／又は他の素子がＡＤＮ１２の一部として設けられてもよいことは理解されるであろう。
【００２０】
伝送要素５０はリング１６，１８上で「インライン（ｉｎ−ｌｉｎｅ）」に設けられている。上述したように、ＡＤＮ１２は受動的なノードである。なぜなら、それらは光スイッチのような（光トラフィックの特定の波長を終端させる）経路中の（インラインの）能動的な付加／除去素子を含まないからである。伝送要素５０は単独の付加／除去カプラ６０又は複数の付加／除去カプラ６０から構成されてもよく、カプラはトラフィックの受動的な付加及び除去を可能にする。図示の例では、伝送要素５０の各々は単独の付加／除去カプラ６０を含む。或いは、別個の除去カプラ及び付加カプラ使用され、一方のカプラが故障した場合に他方のカプラが依然として付加又は除去できるようにしもよい。双方向のカプラ構成は伝送要素５０内のカプラ総数を増やすが、２つのカプラ構成はリング１６，１８にトラフィックを付加する前にリング１６，１８からローカルトラフィックを除去することでチャネル干渉を減らす。
【００２１】
一実施例では、光カプラ６０は２入力及び２出力のファイバカプラである。そのような例は図３に関連して説明される。光カプラ６０はある実施例ではウエーブガイド回路及び／又はフリースペース光学素子に全体的に又は部分的に結合されてもよい。カプラ６０は１つ又はいくつでも適切な入出力数を含んでもよく、カプラ６０は出力より多い入力数又は入力より多い出力数を有してもよいことが理解されるであろう。カプラ６０が説明されるが、適切な他のいかなる光スプリッタが使用されてもよい。本説明及び特許請求の範囲に関し、「カプラ」、「スプリッタ」及び「コンバイナ」なる用語はそれぞれ１以上の入力光信号を受信し、その入力光信号を１以上の出力光信号に分割又は合成するいかなる装置をも含むように理解されるべきである。
【００２２】
伝送要素５０は各要素の進入端及び進出端でＯＳＣフィルタ６６を有し、進入ＯＳＣフィルタ６６ａ及び進出ＯＳＣフィルタ６６ｂの間に増幅器６４を更に有する。増幅器６４はエルビウムドープファイバ増幅器（ＥＤＦＡ）又は他の適切な増幅器から構成されてもよい。ＯＳＣフィルタ６６は薄膜形式の、ファイバ格子の又は他の適切な形式のフィルタで構成されてもよい。
【００２３】
分配／合成要素８０の各々はドロップ信号スプリッタ８２及び付加信号コンバイナ８４から構成されてもよい。スプリッタ８２は１つの光ファイバ進入リードと（ドロップリード８６として機能する）複数の光ファイバ進出リードとを備えるカプラから構成される。ドロップリード８６は１以上のフィルタ１００に接続され、そのフィルタは１以上のドロップ光受信機１０２に接続される。４つのドロップリード８６が使用される特定の実施例では、スプリッタ８２の各々は２×４光カプラから構成され、一方の進入リードは終端され、他方の進入リードはファイバセグメントによりカプラ６０に結合され、４つの進出リードはドロップリード８６として使用される。図示の例は４つのドロップリード８６を示すが、以下に詳細に説明されるように、適切ないかなる数のドロップリード８６が実現されてもよいことが理解されるべきである。
【００２４】
同様にコンバイナ８４は、付加リード８８として機能する複数の光ファイバ進入リードと１つの光ファイバ進出リードとを備えたカプラから構成される。付加リード８８は１以上の付加光送信機１０４に接続される。４つの付加リード８８が使用される特定の実施例では、コンバイナ８４の各々は４×２光カプラから構成され、一方の進出リードは終端され、他方の進出リードはファイバセグメントでカプラに結合され、４つの進入リードは付加リード８８として機能する。図示の例は４つの付加リード８８を示すが、以下に更に詳細に説明されるように、適切ないかなる数の付加リード８８が実現されてもよいことが理解されるべきである。ＡＤＮ１２は更に反時計回り付加ファイバセグメント１４２、反時計回り除去ファイバセグメント１４４、時計回り付加ファイバセグメント１４６、時計回り除去ファイバセグメント１４８を有し、セグメントはカプラ６０をスプリッタ８２及びコンバイナ８４に接続する。
【００２５】
管理要素１１０はＯＳＣ受信機１１２、ＯＳＣインターフェース１１４、ＯＳＣ送信機１１６及び要素管理システム（ＥＭＳ）１２４から構成される。ＡＤＮ１２はＯＳＣファイバセグメント１５０，１５２，１５４，１５６も有し、セグメントは管理要素１１０を進入及び進出ＯＳＣフィルタ６６に接続する。ＯＣＳ受信機１１２、ＯＳＣインターフェース１１４及びＯＳＣ送信機１１６の各々はＡＤＮ１２内のリング１６，１８の一方に対するＯＳＣユニットを形成する。ＯＳＣユニットはＥＭＳ１２４に対するＯＳＣ信号を受信及び送信する。ＥＭＳ１２４はネットワーク管理システム（ＮＭＳ）１２６に通信可能に結合される。ＮＭＳ１２６はＡＤＮ１２内にあってもよいし、別のノードにあってもよいし、或いは全てのＡＤＮ１２の外にあってもよい。
【００２６】
ＥＭＳ１２４及び／又はＮＭＳ１２６は、ネットワーク１０に関するネットワーク及び／又はノードの監視、障害検出、プロテクションスイッチング及びループバックやローカルな検査機能を実行するように媒体中でエンコードされたロジック又は論理装置から構成されてもよい。ロジックはディスクその他のコンピュータで読み取り可能な媒体中にエンコードされたソフトウエア、及び／又は特定用途向け集積回路（ＡＳＩＣ）、フィールドプログラマブルゲートアレイ（ＦＰＧＡ）又はプロセッサやハードウエアにエンコードされた命令から構成されてもよい。ＥＭＳ１２４及び／又はＮＭＳ１２６の機能はネットワークの他の要素で実行され及び／又は分散され又はセントラル化されてもよいことが理解されるであろう。例えば、ＮＭＳ１２６の動作はノード１２及び／又は１４のＥＭＳ１２４に分散され、ＮＭＳ１２６は分離した個別素子として除いてもよい。同様に、ＯＳＣユニットは除かれたＮＭＳ１２６及びＥＭＳ１２４と直接的に通信してもよい。
【００２７】
動作時にあっては、伝送要素５０はリング１６，１８にトラフィックを受動的に付加し、リング１６，１８からトラフィックを受動的に除く。更に伝送要素５０はリング１６，１８に及びそこからＯＳＣ信号を受動的に付加及び除去する。より具体的には各ＯＳＣ進入フィルタ（入口のフィルタ）６６ａは各自のリング１６又は１８からの進入光信号を処理する。ＯＳＣフィルタ６６ａはその光信号からＯＳＣ信号を選別し、ＯＳＣ信号を各自のＯＳＣ受信機１１２に転送する。また各ＯＳＣフィルタ６６ａは残りのトランスポート光信号を関連する増幅器６４へ転送する又は通過させる。増幅器６４は信号を増幅し、その信号を関連するカプラ６０に転送する。
【００２８】
カプラ６０の各々は増幅器６４からの信号を概して等しい２つの信号に受動的に分ける：１つはスルー信号であって（以下に説明されるように付加トラフィックと結合された後に）進出（出口）ＯＳＣフィルタ６６ｂに転送され、１つはドロップ信号であって関連する分配／結合要素８０に転送される。スプリット信号は同一の又は内容的に実質的に同一の複製であるが、パワー及び／又はエネルギレベルは相違してもよい。カプラ６０の各々はスルー信号を付加信号と受動的に結合し、付加信号は関連する分配／結合要素８０からの付加トラフィックより成る。結合された信号はカプラ６０から関連するＯＳＣ進出フィルタ６６ｂに転送される。カプラ６０は付加及び除去の双方を行い、それゆえにそれらは非常に低損失で簡易である。カプラ６０に障害が生じると、カプラの交換作業は付加及び除去双方に影響してしまう。これを避けるため、単一のカプラ６０を用いる代わりに除去カプラ及び付加カプラがカスケード接続されてもよい。そのような実施例の構成は図４に示されるゲートウエーの構成と類似しているが、多重／分離ユニット２１４が伝送要素２００ａ，２００ｂから除去される点が異なる（カプラ６０ａの出力はカプラ６０ｂの入力に接続される。）。
【００２９】
ＯＳＣ進出フィルタ６６ｂの各々は関連するＯＳＣ送信機１１６からのＯＳＣ信号を結合済みの光信号に結合（付加）し、新たに結合された信号を進出トランスポート信号としてネットワーク１０の関連するリング１６，１８に転送する。付加されたＯＳＣ信号はローカルに生成されたデータでもよいし、ＥＭＳ１２４を通じて転送され受信したＯＳＣデータでもよい。
【００３０】
カプラ６０に転送される前に、（ローカルクライアント若しくは加入者から、他のネットワークから又は他の適切ないかなるソースでもそこから）ローカルに導出された付加トラフィックは分配／結合要素８０にて１以上の光送信機１０４から受信される。１以上の光送信機１０４はマニュアルで調整可能な光アッテネータのような、送信機１０４からの光出力パワーを調整する１以上の素子を含んでもよい。光送信機１０４は一群の波長の中の１つに調整可能なレーザを含んでもよい。その実施例では、送信するＡＤＮの光送信機１０４の１つのレーザを特定の周波数に設定し、及びそれに対応して受信するＡＤＮの光受信機のフィルタを特定の周波数に設定することで、２つのＡＤＮ１２の間で光経路が確立されてもよい。トラフィックチャネルは、他のトラフィックと受動的に結合され、他のトラフィックから受動的に分離され、リング１６，１８に及びそこから受動的に付加及び除去される。固定されたレーザを備える光送信機１０４及び固定されたフィルタを備える光受信機が本発明に使用されてもよいことは理解されるであろう。
【００３１】
リング１８に付加されるトラフィックは分配／結合要素８０ａで受信され、リング１６に付加されるトラフィックは分配／結合要素８０ｂで受信される。これら受信された信号はモニタとして使用可能である。トラフィックがＡＤＮ１２に付加される波長／チャネルの各々について別個の光送信機１０４が使用されてもよい。更に、付加リード８８の各々は異なる波長／チャネルに関連付けられてもよい。従って、個別のチャネル各々について送信機１０４及び付加リード８８の組み合わせが存在してもよい（特定のＡＤＮ１２にてトラフィックはその個別のチャネルで付加されることが望まれる。）。各リング１６，１８に４つのリード８８が描かれているが（４つの送信機１０４は明示的には示されていないが）、光送信機１０４及び関連する付加リード８８の数について適切ないかなる数が使用されてもよいことは理解されるであろう。
【００３２】
特定の分配／結合要素８０に関連する１以上の送信機１０４からの付加トラフィックは関連するコンバイナ８４で受信される。コンバイナ８４は（適用可能なら）複数のそうしんき０４からの信号を結合し、関連するリング１６，１８に付加するために、結合された付加信号を関連するカプラ６０に転送する。上述したように、この付加トラフィックは転送されてきたトラフィックとその後カプラ６０で結合される。コンバイナ８４はカプラでもよいし、マルチプレクサでもよいし、適切な他のいかなる装置でもよい。
【００３３】
図示の例では、個別の光送信機１０４が分配／結合要素８０に関連するものとして描かれている。そのような例では、各リング１６，１８を通じて様々な信号が通信されてもよい。例えば、第1信号はＡＤＮ１２にてリング１６上の特定のチャネル／波長で付加可能であり、全く異なる信号が同じＡＤＮ１２によってリング１８上の同じチャネル／波長に付加可能である。これが可能であるのは、各チャネル／波長が分配／結合要素８０の各々で関連する光送信機１０４を有するためである。以下に説明されるように、そのような特徴はＯＳＰＰＲネットワークを提供する際に特に有利である。
【００３４】
しかしながら、以下に詳細に説明されるように、ＯＵＰＳＲネットワークを用意する場合には、一般に同じトラフィックはＡＤＮ１２によりリング１６及びリング１８の双方で付加される。この重複的なトラフィックは障害保護機能を与えるために使用される。そのような例では、送信機１０４の相違する２組は必須ではない。その代わりに、分配／結合要素８０ａ，８０ｂは一組の送信機１０４を共用することができる。そのような場合には、特定の光送信機１０４により生成された付加信号（特定のチャネル／波長の付加信号）は分配／結合要素８０ａ及び分配／結合要素８０ｂ双方のコンバイナ８４に通知されてもよい。従って、同じトラフィックがＡＤＮ１２によりリング１６，１８に付加される。或いは、図２に示されるように、２つの別々の送信機１０４がＡＤＮ１２の信頼性を増進させるために使用されてもよい−１つはリング１６にトラフィックを付加するためであり、１つはリング１８にトラフィックを付加するためである。そのような場合には、ローカルクライアントからのトラフィックは双方の送信機１０４に同時に入力される。
【００３５】
上述したように、リング１６，１８でローカルに宛てられたトラフィックはカプラ６０を用いて関連する分配／結合要素８０に落とされる。そのドロップトラフィックは分配／結合要素８０のスプリッタ８２で受信され、スプリッタ８２は落とした信号を概して等しい複数の信号に分割し、ドロップリード８６を通じて信号の各々を光受信機１０２に転送する。特定の実施例では、光受信機１０２で受信された信号は関連するフィルタ１００で先ず選別される。フィルタ１００は、各フィルタが様々なチャネルを関連する受信機１０２に転送できるように構築される。フィルタ１００は（音響光学的なチューナブルフィルタのような）チューナブルフィルタでもよいし、適切な他のフィルタでもよいし、受信機１０２はブロードバンド受信機でもよいし、適切な他の受信機でもよい。そのような構成は特定のリング１６，１８に関連する各受信機１０２が、様々な波長を受信可能にし、その波長で送信された情報を適切なクライアントに転送可能にする。フィルタ１００を通過するドロップ光信号は、その信号が再生成を必要としなければそのような再生成なしにクライアントに光学的に転送可能である。
【００３６】
上述したように、ＡＤＮ１２は要素管理システムも用意する。ＥＭＳ１２４はＡＤＮ１２内の全ての要素を監視及び／又は制御する。特に、ＥＭＳ１２４はそのリングに関連するＯＳＣ受信機１１２を通じてリング１６，１８からのＯＳＣ信号を電気形式で受信する（ＯＳＣ受信機１１２はＯＳＣフィルタ６６ａにより信号を取得する。）。ＥＭＳ１２４は信号を処理し、その信号を転送し、及び／又はその信号をループバックする。そして、例えば、ＥＭＳ１２４は電気信号を受信し、ＯＳＣ送信機１１６及びＯＳＣフィルタ６６ｂを通じてＯＳＣ信号をリング１６，１８上の次のノードへ再送し、加えて適切ならばノード固有の誤差情報又は適切な他の情報をＯＳＣに再送する。
【００３７】
一実施例では、ＡＤＮ１２内の各要素はそれ自身を監視し、不具合や他の問題が生じた場合にＥＭＳ１２４への警報信号（アラーム信号）を生成する。例えば、ＡＤＮ１２内のＥＭＳ１２４はＡＤＮ１２内の要素や素子から様々な種類のアラームの１以上を受信してもよい：そのアラームは例えば増幅器の光損失（ＬＯＬ）アラーム、増幅器の機器アラーム、光受信機の機器アラーム、光送信機の機器アラームその他のアラームである。不具合によっては複数のアラームを生み出すかもしれない。例えば、ファイバ切断は隣接するノードで増幅器ＬＯＬアラームを生じさせ、光受信機からエラーアラームも生じる。更に、ＥＭＳ１２４はＡＤＮ１２内の適切なファイバセグメントに及びＥＭＳ１２４に通信可能に接続された光スペクトラムアナライザ（ＯＳＡ）を用いて、光信号の波長及び／又はパワーを監視してもよい。
【００３８】
ＮＭＳ１２６はノード１２，１４の全てからエラー情報を収集し、アラームを分析し、生涯の種別及び／又は場所を判別する。その障害の種別及び／又は場所に基づいて、ＮＭＳ１２６はネットワーク１０に必要なプロテクションスイッチング機能を決定する。プロテクションスイッチング機能はノード１２，１４内でＥＭＳ１２４に命令を発行することでＮＭＳ１２６により実行されてもよい。
【００３９】
エラーメッセージは、故障した機器を置換することによって修理されるかもしれない機器の障害情報を含んでもよい。例えば、光受信機又は光送信機の障害は光受信機の機器アラーム又は光送信機の機器アラームをそれぞれ引き起こすかもしれないし、光受信機又は光送信機は必要に応じて置換される。
【００４０】
図３は本発明の一実施例による図２のＡＤＮ１２の光カプラ６０の詳細を示すブロック図である。個の例では光カプラ６０は２入力及び２出力を備えたファイバカプラである。光カプラ６０は他の実施例ではウエーブガイド回路及び／又はフリースペース光学素子で全部又は一部が構成されてもよい。カプラ６０は１つ又はいくつでも適切な入出力数を含んでもよいこと、及びカプラ６０は出力より多数の入力を有してもよいし、入力より多数の出力を有してもよいことは理解されるであろう。
【００４１】
図３を参照するに、光カプラ６０はメインボディ１８０、第1進入セグメント１８２、第２進入セグメント１８４、第1進出セグメント１８６及び第２進出セグメント１８８を有する。第1進入セグメント１８２及び第1進出セグメント１８６は第1の連続的な光ファイバを構成する。第２進入セグメント１８４及び第２進出セグメント１８８は第２の連続的な光ファイバを構成する。メインボディ１８０の外側ではセグメント１８２，１８４，１８６，１８８はジャケット、クラッディング及びコアファイバから構成される。メインボディ１８０の内側ではジャケット及びクラッディングは除去され、コアファイバはより合せられ或いは互いに結合されて第1及び第２の連続的な光ファイバ間で及びその中で光信号及び／又は信号のエネルギを伝達可能にする。このように、光スプリッタ／カプラ６０は進入セグメント１８２，１８４から到来する光信号を受動的に結合し、進出セグメント１８６，１８８を通じて、結合された信号を受動的に分割及び転送する。複数の信号は結合され、その結合された信号は、結合してその後に結合信号を分割することで或いはファイバ間でエネルギを伝送することによって同時に信号を結合及び分割することで分割されてもよい。このように、光スプリッタ／カプラ６０は主ストリームライン内でチャネル間隔についての何らの制約もなく柔軟にチャネル間隔を設定できる。特定の実施例ではカプラは−５５ｄＢを上回る方向性を有する。挿入損失の波長依存性は１００ｎｍ以上の範囲で約０．５ｄＢより小さい。５０／５０カプラ用の挿入損失は約−３．５ｄＢより少ない。
【００４２】
図４は本発明の一実施例による光ゲートウエー１４の詳細を示すブロック図である。上述したようにゲートウエー１４はＡＤＮ１２の間に交互に配置されてもよい。ゲートウエー１４は単数又は複数のノード又は１以上のノードの要素の適切ないかなるものでもよく、それらはリング又は他の適切なネットワーク構成の１以上の方向でゲートウエー１４により受信された１以上のチャネルを選択的に通過又は終端させるよう構築可能なものである。
【００４３】
ゲートウエー１４は反時計回りの伝送要素２００ａ及び時計回りの伝送要素２００ｂを含む。伝送要素２００の各々はマルチプレクサ／デマルチプレクサ（ｍｕｘ／ｄｅｍｕｘ）ユニット２１４より成る。多重／分離（Ｍｕｘ／ｄｅｍｕｘ）ユニット２１４の各々はデマルチプレクサ２０６、マルチプレクサ２０４及びスイッチ要素より成り、スイッチ要素はトラフィックチャネル（又は一群のチャネル）を選択的に通過又は終端させるスイッチ２１０又は他の素子の配列より成る。特定の実施例ではマルチプレクサ２０４及びデマルチプレクサ２０６はアレイ上に並んだウエーブガイドより成る。他の実施例ではマルチプレクサ２０４及びデマルチプレクサ２０６はファイバブラッグ格子、薄膜型サブバンド（利用可能な全波長／チャネルの部分集合である一群の波長／チャネル）のマルチプレクサ／デマルチプレクサ、又は他の適切ないかなる装置から構成されてもよい。多重／分離ユニット２１４がサブバンド多重／分離部より成る場合には、ユニット２１４はサブバンドを遮る又は転送するように機能する。スイッチ２１０は１×２又は他の適切なスイッチ、光相互コネクタ又は他の適切な素子から構成され、分離したトラフィックチャネルを選択的に通過又は終端させてもよい。図示されてはいないが、多重／分離ユニット２１４も多重／分離ユニット２１４のスイッチ２１０及びマルチプレクサ２０４各々の間に設けられた可変光減衰器を含んでもよい。多重／分離ユニット２１４は代替的に又は付加的に他のいかなる素子から構成されてもよく、その素子は個々のチャネル又はチャネル群を選択的に終端又は通過させるように共同して機能する。
【００４４】
ＡＤＮ１２と同様にゲートウエー伝送要素２００もカプラ６０、増幅器６４、ＯＳＣフィルタ６６及びコネクタ７０を含む。図示の例ではカプラ６０ａは多重／分離ユニット２１４各々の前に設けられ、カプラ６０ｂは多重／分離ユニット２１４各々の後に設けられる。カプラ６０ａは前段増幅器（プリアンプ）６４ａからの信号を概して等しい２つの信号に受動的に分割する：図２に関連して説明されたように、１つはスルー信号であり多重／分離ユニット２１４に転送され、１つはドロップ信号であり分配／結合要素８０に転送される。分割された信号は内容的には実質的に同じであるが、パワーレベルが異なってもよい。カプラ６０ｂは多重／分離ユニット２１４からの信号と各自の分配／結合要素８０からの信号とを受動的に結合する。結合された信号はカプラ６０ｂから後段増幅器（ポストアンプ）６４ｂに転送される。
【００４５】
伝送要素２００は更にＡＤＮ１２の伝送要素５０のようにリング１６，１８に及びそこからＯＳＣ信号を受動的に付加及び除去する。より具体的には各伝送要素２００はＯＳＣ進入フィルタ６６ａを含み、進入フィルタは各リング１６，１８からの進入光信号を処理する。各ＯＳＣフィルタ６６ａはＯＳＣ信号を光信号から選別し、そのＯＳＣ信号を各自のＯＳＣ受信機１１２に転送する。ＯＳＣフィルタ６６ａの各々は残りのトランスポート光信号を関連する前段増幅器６４ａに転送又は通過させる。プレアンプ６４ａは信号を増幅し、その信号を関連するカプラ６０ａに転送する。
【００４６】
伝送要素２００の各々はＯＳＣ進出フィルタ６６ｂも含み、そのフィルタはＯＳＣ送信機１１６からのＯＳＣ信号をポストアンプ６４ｂからの光信号に付加し、結合された信号を進出伝送信号としてネットワーク１０の関連するリング１６，１８に転送する。付加されたＯＳＣ信号はローカルに生成されたデータでもよいし、ローカルＥＭＳ１２４により伝送される受信したＯＳＣデータでもよい。
【００４７】
図２に示されるＡＤＮ１２の分配／結合要素８０と同様に、ゲートウエー１４の分配／結合要素８０の各々はドロップ信号スプリッタ及び付加信号コンバイナ８４を有する。スプリッタ８２は１つの光ファイバ進入リードとドロップリード８６として機能する複数の光ファイバ進出リードを備えるカプラを有する。ドロップリード８６は１以上のフィルタ１００に接続され、フィルタは１以上のドロップ光受信機１０２に接続される。４つのドロップリード８６が使用される特定の実施例では、スプリッタ８２の各々は２×４光カプラを有し、一方の進入リードは終端され、他方の進入リードはファイバセグメントを通じてカプラ６０に結合され、４つの進出リードはドロップリード８６として使用される。図示の例は４つのドロップリードを示すが、以下に更に説明されるように適切ないかなる数のドロップリード８６が使用されてもよいことが理解されるべきである。
【００４８】
同様にコンバイナ８４は付加リード８８として機能する複数の光ファイバ進入リードと１つの光ファイバ進出リードとを備えたカプラを有する。付加リード８８は１以上の付加光送信機１０４に接続される。４つの付加リード８８が使用される特定の実施例では、コンバイナ８４の各々は４×２光カプラを有し、一方の進出リードは終端され、他方の進出リードはファイバセグメントでカプラに結合され、４つの進入リードは付加リード８８として使用される。図示の例は４つの付加リード８８を示すが、以下に更に説明されるように適切ないかなる数の付加リード８８が使用されてもよいことが理解されるべきである。更にゲートウエー１４は反時計回りの付加ファイバセグメント２４２、反時計回りのドロップファイバセグメント２４４、時計回りの付加ファイバセグメント２４６、時計回りのドロップファイバセグメント２４８を有し、それらはカプラ６０をスプリッタ８２及びコンバイナ８４に接続する。
【００４９】
また、ＡＤＮ１２と同様に、ゲートウエー１４は図２に関連して説明されたようなＯＳＣ受信機１１２、ＯＳＣインターフェース１１４、ＯＳＣ送信機１１６及び（ＮＭＳ１２６に結合される）ＥＭＳ１２４より成る管理要素１１０を有する。ＥＭＳ１１０は図２に関連して説明されたようなＯＳＣファイバセグメント１５０，１５２，１５４，１５６により伝送要素２００に接続される。
【００５０】
動作時にあっては、各伝送要素２００は複数のチャネルを含む光信号を各自のリング１６，１８から受信する。ＯＳＣフィルタ６６ａは上述したようにＯＳＣ信号を光信号から選別し、残りの光信号は増幅器６４ａに転送され、増幅器は信号を増幅してそれをカプラ６０ａに転送する。カプラ６０ａは増幅器６４からの信号を概して等しい２つの信号に受動的に分割し：その１つは通過信号であって多重／分離ユニット２１４に転送され、１つは除去信号であって関連する分配／結合要素８０に転送される。分割された信号は内容的には実質的に同じであるが、パワーレベルが異なってもよい。
【００５１】
除かれたトラフィックは分配／結合要素８０のスプリッタ８２で受信され、スプリッタ８２は除去された信号を概して等しい複数の信号に分割し、ドロップリード８６を通じて各信号を光受信機１０２に転送する。特定の実施例では光受信機１０２で受信された信号は関連するフィルタ１００で先ず選別される。フィルタ１００は各フィルタが様々なチャネルを関連する受信機１０２に転送可能になるように構築される。フィルタ１００は（音響光学チューナブルフィルタのような）チューナブルフィルタ又は他の適切なフィルタでもよいし、受信機１０２はブロードバンド受信機又は他の適切な受信機でもよい。そのような構成は特定のリング１６，１８に関連する各受信機１０２が異なる波長を受信できるように及びその波長で伝送された情報を適切なクライアントに転送できるようにする。フィルタ１００を通過する除去された光信号は、その信号が再生成を必要としなければそのような再生成なしにクライアントに選択的に転送可能である。
【００５２】
カプラ６０ａから転送された光信号は、多重／分離ユニット２１４のデマルチプレクサ２０６で受信され、その信号は構成するチャネル成分に分離される。スイッチ２１０は各チャネルを終端し又はマルチプレクサに転送する。上述したように、チャネルは特定のプロテクション法を実行するように（及びサブネットを実現するように）選択的に終端又は転送される。スイッチ２１０によって転送されたチャネルはマルチプレクサ２０４により受信され、受信したチャネルをＷＤＭ光信号に多重化し、その光信号をカプラ６０ｂに転送する。更に、ある実施例では各チャネルのレベルを調整するためにスイッチ２１０及びマルチプレクサ２０４の間に（又はデマルチプレクサ２０６及びスイッチ２１０の間に）可変光減衰器が含められる。
【００５３】
（ローカルクライアント又は加入者からの、他のネットワークからの、又は適切な他のいかなるソースでもそこからの）ネットワーク１０に付加されるローカルに導出されたトラフィックは、図２に関連して説明されたように分配／結合要素８０にて１以上の光送信機１０４から受信される。リング１８に付加されるトラフィックは分配／結合要素８０ａで受信され、リング１６に付加されるトラフィックは分配／結合要素８０ｂで受信される。特定の分配／結合要素８０に関連する１以上の送信機１０４からの付加トラフィックは関連するコンバイナ８４で受信される。図２に関連して説明されたように、個別の光送信機１０４が分配／結合要素８０ａ，８０ｂ各々に関連付けられてもよく、或いは分配／結合要素８０ａ，８０ｂは一組の送信機１０４を共用することもできる。
【００５４】
コンバイナ８４は（適用可能ならば）複数の送信機からの信号を結合し、関連するリング１６，１８に加えるために結合された付加信号を関連するカプラ６０ｂに転送する。カプラ６０ｂは関連する多重／分離ユニット２１４からの光信号と関連する分配／結合要素８０からの光信号とを受動的に結合する。結合された信号はカプラ６０ｂから関連する後段増幅器６４ｂに転送され、結合された光信号が増幅される。増幅された光信号は以後ＯＳＣ進出フィルタ６６ｂに転送され、そのフィルタは関連するＯＳＣ送信機１１６からのＯＳＣ信号を結合された光信号に付加し、新たに結合された信号を進出トランスポート信号としてネットワーク１０の関連するリング１６，１８に転送する。付加されたＯＳＣ信号はローカルに生成されたデータでもよいし、ＥＭＳ１２４により転送され受信したＯＳＣデータでもよい。
【００５５】
図５は本発明の別の実施例による光ゲートウエー１１４の詳細を示すブロック図である。ゲートウエー１１４はゲートウエー１４と同様であるが、カプラ６０及び分配／結合要素８０ａ，８０ｂを含まない点で異なる。従って、ゲートウエー１１４はローカルクライアントからのトラフィックを付加する機能及びローカルクライアントへのトラフィックを落とす機能を有するが、カプラ６０を用いるのではなく２×２スイッチ２１０を使用して行う。
【００５６】
ゲートウエー１１４はず４に関連して説明されたような多重／分離ユニット２１４を含む。多重／分離ユニット２１４はＯＳＣフィルタ６６ａ及び増幅器６４ｂを通過した後の光信号を受信する。多重／分離ユニット２１４のデマルチプレクサ２０６は受信した信号をチャネルの構成成分に分離する。スイッチ２１０は（ゲートウエー１４の１×２スイッチではなく）２×２スイッチであり、関連するチャネルのトラフィックがマルチプレクサ２０４に転送される「オープン（ｏｐｅｎ）」位置に切り替え可能である、或いは関連するチャネルのトラフィックが関連する受信機１０２に落とされ（又は適用可能ならば受信機１０２なしに終端されたポートに落とされ）且つ関連する送信機１０４から受信した付加トラフィックが付加されてマルチプレクサ２０４に転送される「クロス（ｃｒｏｓｓ）」位置に切り替え可能である。２×２スイッチ２１０は関連する受信機１０２及び送信機１０４を有するが、図５では各伝送要素２００の１つのスイッチに関連する受信機１０２及び送信機１０４しか示されていない。チューナブルフィルタ１００は各受信機に関連して必要とされないかもしれない。なぜなら、各スイッチ２１０は異なるチャネル又はチャネルの部分集合を関連する受信機１０２に落とすからである（この点、光信号全体を落とすカプラ６０と異なる。）。スイッチ２１０で受信したチャネルはスイッチ２１０を「クロス」の位置切り替えることで（及びスイッチ２１０でいかなる新規の付加トラフィックも付加しないことで）終端でき、トラフィックがマルチプレクサに転送されないようにする。
【００５７】
以下に説明されるように、特定のプロテクション法を実行するために（及びサブネットを実現するためにも）チャネルは選択的に終端又は転送される。スイッチ２１０により転送されたチャネルはマルチプレクサ２０４で受信され、受信したチャネルをＷＤＭ光信号に多重化し、光信号を増幅器６４ｂに転送し、光信号が増幅される。増幅された光信号はＯＳＣ進出フィルタ６６ｂに転送され、そのフィルタは関連するＯＳＣ送信機１１６からのＯＳＣ信号を光信号に付加し、その新たな信号をネットワーク１０の関連するリング１６，１８上の進出トランスポート信号として転送する。付加されたＯＳＣ信号はローカルに生成されたデータでもよいし、或いはＥＭＳ１２４で転送され受信されたＯＳＣデータでもよい。
【００５８】
図６は本発明の一実施例によるＯＵＰＳＲプロテクション機能を提供するための光ネットワーク例内の付加／除去ノードからの光経路例を示すブロック図である。図示の簡明化のため、ＡＤＮ１２及びゲートウエー１４の上位概念的な細部が示されている。ＡＤＮ１２及びゲートウエー１４の様々な素子を参照するために以下で使用される参照番号は図２，４及び／又は５に関連するものである。
【００５９】
図示の例では、２つのトラフィックストリームが示される。トラフィックストリーム３００はＡＤＮ１２ａから発する時計回りのストリームであり、ＡＤＮ１２ｂ及びゲートウエー１４ａの双方宛にリング１６上を伝搬する。トラフィックストリーム３０２はＡＤＮ１２ａから発する反時計回りのストリームであり、ＡＤＮ１２ｂ及びゲートウエー１４ａの双方宛にリング１８上を伝搬する。トラフィックストリーム３００，３０２の各々は２つのあて先を有するが、他の実施例ではトラフィックストリーム３００，３０２の各々は１つの又は２より多くのあて先を有してもよい。トラフィックストリーム３００，３０２は図示の例では２つのあて先を有するように描かれており、あるＡＤＮ１２から別のＡＤＮ１２へのトラフィック及びＡＤＮ１２からゲートウエー１４へのトラフィックの双方がＯＵＰＳＲプロテクションにより保護可能である。そのようなＯＵＰＳＲプロテクションを行うため、トラフィックストリーム３００，３０２は同一内容を含む。以下に説明されるように、これら２重のＯＵＰＳＲトラフィックストリームは、ストリーム３００及び／又は３０２に適切な終端点を設け、ネットワーク内での干渉を避けるようにゲートウエー１４を構築することで実現されてもよい。
【００６０】
トラフィック３００はリング１６に関する送信機１０４を利用してＡＮＤ１２ａで第１の波長／チャネルλ１で発信される。ストリーム３００はリング１６に関連するＡＤＮ１２ａのカプラ６０によりリング１６上の既存の光信号に付加される。ストリーム３００しかリング１６に示されていないが、他のチャネルの他のトラフィックストリーム（又は他のサブネット内の同一チャネルのトラフィックストリーム）もリング１６を伝搬していることが理解されるべきである。
【００６１】
ＡＤＮ１２ａを出た後にストリーム３００はリング１６を通じてゲートウエー１４ｂに伝搬する。ゲートウエー１４ｂのカプラ６０ａは（ストリーム３００を含む）ＡＤＮ１２ａから到来するリング１６上のトラフィックを除去すること及び転送することの双方を行う（言い換えれば、分配／結合要素８０に複製を転送する）。転送されたトラフィックはゲートウエー１４ｂのデマルチプレクサ２０６により、λ１のストリーム３００を含むチャネルの構成成分に分離される。分離されたストリーム３００はデマルチプレクサ２０６から関連するスイッチ２１０に転送される。スイッチ２１０は図示の例ではストリーム３００を通過させるように構成される。なぜならストリーム３００はその最終的な目的地に達していないからである。カプラ６０ａにより落とされたトラフィックに含まれるドロップストリーム３００は関連する受信機１０２にλ１で伝搬しないようにフィルタ１００を構成することで終端される。
【００６２】
ゲートウエー１４ｂを出た後にストリーム３００はリング１６を通じてＡＤＮ１２ｂに伝搬する。ＡＤＮ１２ｂのカプラ６０はリング１６上で他の全てのトラフィックと共にストリーム３００を除去する。ストリーム３００はＡＤＮ１２ｂ宛であるので、ＡＤＮ１２ｂのフィルタ１００はストリーム３００を通過させるように構築される。フィルタ１００に関連する受信機１０２はストリーム３００を受信し、ストリーム内の情報をＡＤＮ１２ｂの１以上のクライアントに転送するように使用される。ＡＤＮ１２ｂのカプラ６０もリング１６上でストリーム３００を転送し、その転送されたストリーム３００はリング１６上でゲートウエー１４ｃに伝搬する。ゲートウエー１４ｃはゲートウエー１４ｂと同様にストリーム３００を処理する。言い換えれば、ゲートウエー１４ｃはどのローカルクライアントにもストリーム３００を伝送せず、ゲートウエー１４ｃは多重／分離ユニット２１４にストリーム３００を伝送する。
【００６３】
ゲートウエー１４ｃを出た後で、ストリーム３００はリング１６上でＡＤＮ１２ｃに伝搬する。ＡＤＮ１２ｃのカプラはリング１６上の他の全てのトラフィックと共にストリーム３００を落とす。ストリーム３００はＡＤＮ１２ｃ宛ではないので、ＡＤＮ１２ｃのどのフィルタ１００もストリーム３００を通過させるように構築されてはいない。ＡＤＮ１２ｃのカプラ６０はリング１６上でストリーム３００を転送し、その転送されたストリーム３００はリング１６に沿ってゲートウエー１４ｄに伝搬する。ゲートウエー１４ｄはゲートウエー１４ｂ，１４ｃと同様にストリーム３００を取り扱う。ゲートウエー１４ｄを出た後に、ストリーム３００はＡＤＮ１２ｄで受信され、ＡＤＮ１２ｄはＡＤＮ１２ｃと同様にストリーム３００を取り扱う。
【００６４】
ＡＤＮ１２ｄを出た後で、ストリームはリング１６を通じてゲートウエー１４ａに伝搬する。ゲートウエー１４ａのカプラ６０ａはＡＤＮ１２ｄから到来する（ストリーム３００を含む）リング１６上のトラフィックを落として転送する。ゲートウエー１４ａはストリーム３００の宛先であるので、カプラ６０ａにより落とされたトラフィック中に含まれるドロップストリーム３００は、ゲートウエー１４ａのフィルタ１００を関連する受信機１０２に対してλ１を通すように構築することで、ゲートウエー１４ａの１以上のクライアントに伝送される。転送されたトラフィックはゲートウエー１４ａのデマルチプレクサ２０６によりλ１のストリームを含むチャネル構成成分に分離される。分離されたストリーム３００はデマルチプレクサ２０６から関連するスイッチ２１０に転送される。ストリーム３００はその最終的な宛先に達したので、スイッチ２１０は図示の例ではストリーム３００を終端するように構成される。このようなストリーム３００の終端は、それがＡＤＮ１２ａに達することを防ぎ、ＡＤＮ１２ａでリング１６内でストリーム３００に付加される新たなトラフィックとの干渉を防ぐ。
【００６５】
トラフィック３０２はリング１８に関連する送信機１０４を用いてＡＤＮ１２ｃで第２の波長／チャネルλ２で発信される。λ２を利用するのは単なる一例であって、説明を区別するためである。つまり、リング１６はリング１８から分離されるので、ストリーム３０２はλ１で伝送されてもよい（それが一般的であるかもしれない。）。更にストリーム３００，３０２を伝送するために適切な他のいかなるチャネルが使用されてもよい。
【００６６】
ストリーム３０２はリング１８に関連するＡＤＮ１２ａのカプラ６０によりリング１８上の既存の光信号に付加される。リング１８にストリーム３０２しか示されていないが、他のチャネルの他のストリーム（又は他のサブネットの同一チャネルのストリーム）もリング１８を伝搬していることが理解されるべきである。
【００６７】
ＡＤＮ１２ａを出た後に、ストリーム３０２はリング１８を通じてゲートウエー１４ａに伝搬する。ゲートウエー１４ａのカプラ６０ａはＡＤＮ１２ａから到来する（ストリーム３０２を含む）リング１８上のトラフィックを落として転送する。ゲートウエー１４ａはストリーム３０２の宛先ではないので、カプラ６０ａにより落とされたトラフィックに含まれるドロップストリーム３０２は、ゲートウエー１４ａのフィルタ１００を関連する受信機１０２に対してλ２を通すように構築することでゲートウエー１４ａの１以上のクライアントに伝送される。転送されたトラフィックはゲートウエー１４ａのデマルチプレクサ２０６によりλ２のストリーム３０２を含むチャネル構成成分に分離される。分離されたストリーム３０２はデマルチプレクサ２０６から関連するスイッチ２１０に転送される。ストリーム３０２は最終的な宛先に達していないので、スイッチ２１０はこの例ではストリーム３０２を通すようには構築されていない。しかしながら、ゲートウエー１４ａがストリーム３０２の唯一の宛先であってλ２がリング１８で再利用されるならば、ゲートウエー１４ａの関連するスイッチ２１０はストリーム３０２を終端するように構築可能である。
【００６８】
ゲートウエー１４ａを出た後に、ストリーム３０２はリング１８を通じてＡＤＮ１２ｄに伝搬する。ＡＤＮ１２ｄのカプラ６０はリング１８の他の全てのトラフィックと共にストリーム３０２を落とす。ストリーム３０２はＡＤＮ１２ｄの宛先ではないので、ＡＤＮ１２ｄのどのフィルタ１００もストリーム３０２を通すようには構築されない。ＡＤＮ１２ｄのカプラ６０はリング１８上でストリーム３０２を転送し、その転送されたストリーム３０２はリング１８を通じてゲートウエー１４ｄに伝搬する。
【００６９】
ゲートウエー１４ｄのカプラ６０ａはＡＤＮ１２ｄから到来する（ストリーム３０２を含む）リング１８上のトラフィックを落として転送する。転送されたトラフィックはゲートウエー１４ｄのデマルチプレクサ２０６によりλ２のストリーム３０２を含むチャネル構成成分に分離される。分離されたストリーム３０２はデマルチプレクサ２０６から関連するスイッチ２１０に転送される。スイッチ２１０はこの例ではストリーム３０２を通過させるように構築される（ストリーム３０２は最終的な宛先に達していないからである。）。カプラ６０ａから落とされたトラフィック中に含まれるドロップストリーム３０２は、関連する受信機１０２に対してフィルタ１００がλ２を通すように構築することで終端される（そのフィルタはゲートウエー１４ｄのどのローカルクライアントにも伝送しないことになる。）。
【００７０】
ゲートウエー１４ｄを出た後に、ストリーム３０２はＡＤＮ１２ｄと同様にストリーム３０２を処理するＡＤＮ１２ｃで受信される。ストリーム３０２は以後リング１８を通じてゲートウエー１４ｃに伝搬し、ゲートウエー１４ｃはゲートウエー１４ｄと同様にストリーム３０２を処理する。言い換えれば、ゲートウエー１４ｃはどのローカルクライアントにもストリーム３０２を伝送せず、ゲートウエー１４ｃはその多重／分離ユニット２１４にストリーム３０２を伝送する。
【００７１】
ゲートウエー１４ｃを出た後に、ストリーム３０２はリング１８を経てＡＤＮ１２ｂに伝搬する。ＡＤＮ１２ｂのカプラ６０はリング１８上の他の全てのトラフィックと共にストリーム３０２を落とす。ストリーム３０２はＡＤＮ１２ｂ宛であるので、ＡＤＮ１２ｂのフィルタ１００はストリーム３０２を通すように構成されている。（フィルタ１００に関する）受信機１０２はストリーム３０２を受信し、そのストリーム内の上方を適切なロケーションに転送する。ＡＤＮ１２ｂのカプラ６０はリング１８上でストリーム３０２を転送し、その転送されたストリーム３０２はリング１８を通じてゲートウエー１４ｂに伝搬する。
【００７２】
ゲートウエー１４ｂのカプラ６０ａは（ストリーム３０２を含む）ＡＤＮ１２ｂから到来するリング１８上のトラフィックを落として転送する。カプラ６０ａにより落とされたトラフィック中に含まれるドロップストリーム３０２は、関連する受信機１０２に対してλ２を通さないようにフィルタ１００を構成することで終端される（フィルタはゲートウエー１４ｂのどのローカルクライアントにも伝送しない）。転送されたトラフィックはゲートウエー１４ｂのデマルチプレクサ２０６によりλ２のストリーム３０２を含むチャネル構成成分に分離される。分離されたストリーム３０２はデマルチプレクサ２０６から関連するスイッチ２１０に転送される。スイッチ２１０は図示の例ではストリーム３０２を終端するように構築される（ストリーム３０２はその最終的な宛先に達したからである。）。このようなストリーム３０２の終端は、それがＡＤＮ１２ａに達することを防ぎ、ＡＤＮ１２ａでリング１８に付加されるストリーム３０２と干渉することを防ぐ。
【００７３】
このように、ＯＵＰＳＲプロテクションはゲートウエー１４の適切な構成により図示のネットワークで提供できる。プロテクションは、起点から宛先までリング１６上で時計回りに伝搬するトラフィックストリーム３００、及びトラフィックストリーム３００と同じ情報を含み且つその起点から宛先までリング１８上で反時計回りに伝搬するトラフィックストリーム３０２を用意することで実現できる。従って、たとえリング１６及び／又は１８で障害その他のエラーが起こった場合でさえ情報は宛先に到達可能なので、プロテクション機能が提供される。例えば、リング１６，１８がＡＤＮ１２ａ及びゲートウエー１４ｂの間で故障したとすると、トラフィックストリーム３００はＡＤＮ１２ｂ又はゲートウエー１４ａに到達しなくなる。しかし、トラフィックストリーム３０２はＡＤＮ１２ｂ及びゲートウエー１４ａの双方に到達し、トラフィックプロテクション機能を発揮できる。ネットワークの他の場所での回線切断又は他のエラーも同様に処理され、トラフィックはリング１６又はリング１８を通じてネットワークの各ノードに到達可能であるようにできることは理解されるであろう。
【００７４】
図７は本発明の一実施例によるＯＵＰＳＲプロテクション機能を提供するため光ネットワーク例内の光ゲートウエー１４ａからの光経路例を示すブロック図である。参照の便宜を図るため、ＡＤＮ１２及びゲートウエー１４の上位概念的な細部しか示されていない。ＡＤＮ１２及びゲートウエー１４の様々な素子を参照するために以下で使用される参照番号は図２，４及び／又は５に関連するものである。
【００７５】
図示の例では２つのストリームが示される。トラフィックストリーム３１０はゲートウエー１４ａから発信し、リング１６上でＡＤＮ１２ａ及びゲートウエー１４ｄ宛に伝搬する時計回りのストリームである。トラフィックストリーム３１２はゲートウエー１４ａから発信し、リング１８上でＡＤＮ１２ａ及びゲートウエー１４ｄに伝搬する反時計回りのストリームである。トラフィックストリーム３１０，３１２の各々は２つの宛先を有するが、他の実施例ではトラフィックストリーム３１０，３１２の各々は１つの又は２より多くの宛先を有してもよい。トラフィックストリーム３１０，３１２は図示の例では２つの宛先を有するように示され、ゲートウエー１４からＡＤＮ１２へのトラフィック及びゲートウエー１４から別のゲートウエー１４へのトラフィックの双方がＯＵＰＳＲプロテクションを用いて保護可能であることを示す。そのようなＯＵＰＳＲプロテクション用に、トラフィックストリーム３１０，３１２は同一内容を含む。
【００７６】
図６のストリーム３００，３０２のように、これらの重複的なＯＵＰＳＲトラフィックストリームは、ネットワーク内の干渉を防ぐように、ストリーム３１０及び／又は３１２に対する適切な終端点を設けるようにゲートウエーを構築することで実現される。ストリーム３１０，３１２は図６で説明されたのと同様な手法でＡＤＮ１２及びゲートウエー１４により処理される。ＡＤＮ１２ａ及びゲートウエー１４ｄはストリーム３１０，３１２の宛先として上述したようにストリーム３１０，３１２を関連する受信機１０２に伝送するように構築され、それらのストリームがＡＤＮ１２ａ及びゲートウエー１４ｄのクライアントに通知されるようにする。更に、リング１６，１８でストリーム３１０，３１２の再循環を防ぐため（及びその再巡回によって引き起こされるおそれのある干渉を防ぐため）、リング１６，１８に関連する各自の多重／分離ユニット２１４にてストリーム３１０，３１２双方を終端するようにゲートウエー１４ａは構築される。図７に示される実施例の他のＡＤＮ１２及びゲートウエー１４はリング１６，１８上でストリーム３１０，３１２を単に伝送するように構成される。このようにして、図６に関連して説明されたのと同様な手法で図示のネットワークでＯＵＰＳＲプロテクション機能が提供可能になる。
【００７７】
図８は本発明の一実施例による光ネットワーク例で保護されたプレエンプタブルな信号例を示すブロック図である。これらの光信号例はＯＳＰＰＲネットワークの実施例を示す。図８では、参照の簡明化を図るため、ＡＤＮ１２及びゲートウエー１４の上位概念的な細部しか示されていない。ＡＤＮ１２及びゲートウエー１４の様々な素子を参照するために以下で使用される参照番号は図２，４及び／又は５に関連するものである。
【００７８】
図示の例では、２つの異なるトラフィック３２０，３２２が示される。ストリーム３２０は保護されたトラフィックストリーム（或いはワーキングトラフィックとして知られている）であり、ストリーム３２２は先取り又はプレエンプタブルトラフィックストリーム（或いはプロテクションチャネルアクセストラフィックとして知られている）である。プレエンプタブルトラフィックは他のトラフィックのプロテクション経路を用意するために終端されるかもしれないトラフィックである。プロテクトされるトラフィックはプロテクション経路が用意されるトラフィックである。プロテクトされるトラフィックストリームがその宛先ノードに到達しなくなる原因となるファイバ切断又は他の障害時に、１以上のプレエンプタブルトラフィックストリームが終端され、プレエンプタブルトラフィックの代わりに、プロテクトされるトラフィックを伝送可能にする。障害が復旧した後にネットワークは障害以前の状態に戻してもよい。一実施例では、プロテクトされるトラフィックはプレエンプタブルトラフィックより高い優先度のトラフィックより成る；しかしながら、トラフィックストリームをプロテクトされる部分及びプリエンプタブルな部分に分ける他の方法が他の実施例では適切であるかもしれないし又は望まれるかもしれないことが理解されるであろう。
【００７９】
図８を参照するに、通常動作の間に、プロテクトされるトラフィックストリーム３２０は時計回りにリング１６を伝搬する。それはＡＤＮ１２ｄから発信し、ＡＤＮ１２ａ宛てである。図示の例では、プロテクトされるトラフィックストリーム３２０は波長λ１で伝送される。反時計回りにリング１８を伝搬するプレエンプタブルトラフィックストリーム３２２はゲートウエー１４ｄから発信し、ＡＤＮ１２ｃ宛である。図示の例では、プレエンプタブルトラフィックストリーム３２２も波長λ１で伝送される。図９に示されるように、トラフィックストリーム３２２はプロテクションスイッチングの間に遮られ、高優先度のトラフィックストリーム３２０を保護する。
【００８０】
１つのプロテクトされるトラフィックストリーム３２０及び１つのプリエンプタブルトラフィックストリーム３２２が描かれているが、プロテクトされる及び／又はプレエンプタブルのトラフィックストリーム複数がサブネットを利用することによって同一リング上で同一波長で実現されてもよいことが理解されるべきである。更に、１つの波長例のトラフィックが示されているが、プロテクトされるトラフィック及びプレエンプタブルトラフィックはリング１６，１８上で様々な他の波長／チャネルで送信されてもよいことが理解されるであろう。更に、プロテクトされるトラフィックはプレエンプタブルトラフィックと（異なるリングで）同じ波長で伝送されるように示されるが、様々な他の態様が実現されてもよい。単なる例として、プロテクトされるトラフィックはリング１６上では奇数チャネルで及びリング１８上では偶数チャネルで伝送されてもよい。或いは、プレエンプタブルトラフィックはリング１６では偶数チャネルで及びリング１８では奇数チャネルで伝送されてもよい。適切な他のいかなる態様が使用されてもよい。
【００８１】
プロテクトされるトラフィック３２０はリング１６に関連する送信機１０４を用いてＡＤＮ１２ｄにて第１波長λ１で発信される。ストリーム３２０はリング１６に関連するＡＤＮ１２ｄのカプラ６０によりリング１６上の既存の光信号に加えられる。ＡＤＮ１２ｄを出た後に、ストリーム３２０はリング１６を通じてゲートウエー１４ａに伝送される。ゲートウエー１４ａのカプラ６０ａはＡＤＮ１２ｄから到来するリング１６上の（ストリーム３２０を含む）トラフィックを落として転送する。転送されたトラフィックはゲートウエー１４ａのデマルチプレクサ２０６によりλ１のストリーム３２０を含む波長／チャネルの構成成分に分離される。分離されたストリーム３２０はデマルチプレクサ２０６から関連するスイッチ２１０へ転送される。スイッチ２１０は図示の例ではストリーム３２０を通過させるよう構築される（ストリーム３２０はその最終的な宛先に達していないからである。）。カプラ６０ａにより落とされたトラフィック中に含まれるドロップストリーム３２０は、関連する受信機１０２に対してλ１を通さないようにフィルタ１００を構築することで終端される（ゲートウエー１４ａのどのローカルクライアントにも伝送しない。）。
【００８２】
ゲートウエー１４ａを出た後で、ストリーム３２０はリング１６を通じてＡＤＮ１２ａに伝搬する。リング１６に関連するＡＤＮ１２ａのカプラ６０はリング１６上の全ての他のトラフィックと共にストリーム３２０を落とす。受信機１０２はストリーム３２０を受信し、ストリーム内の情報をＡＤＮ１２ａの適切なクライアントに通知するよう使用される。ストリーム３２０はＡＤＮ１２ａのカプラ６０により転送され、ゲートウエー１４ｂに伝送される。
【００８３】
ゲートウエー１４ｂのカプラ６０ａはＡＤＮ１２ａから到来するリング１６上の（ストリーム３２０を含む）トラフィックを落として転送する。転送されたトラフィックはゲートウエー１４ｂのデマルチプレクサ２０６によってλ１のストリーム３２０を含む波長／チャネルの構成成分に分離される。分離されたストリーム３２０はデマルチプレクサ２０６から関連するスイッチ２１０に転送される。スイッチ２１０は図示の例ではストリーム３２０を終端するように構築される。そのような終端はストリーム３２０のトラフィックがＡＤＮ１２ａ宛であるので適切である（このトラフィックストリームはすでに到達済みである）。カプラ６０ａから落とされたトラフィック中に含まれるドロップストリーム３２０は、関連する受信機１０２に対してλ１を通さないようにゲートウエー１４ｂのフィルタ１００を構築することによって同様に終端される。
【００８４】
プレエンプタブルトラフィックストリーム３２２はリング１８に関連する送信機１０４を用いてゲートウエー１４ｄで第１波長λ１で発信される。ストリーム３２２はリング１８に関連するゲートウエー１４ｄのカプラ６０によってリング１８上の既存の光信号に加えられる。ゲートウエー１４ｄを出た後に、ストリーム３２２はリング１８を通じてＡＤＮ１２ｃに伝送される。リング１８に関連するＡＤＮ１２ｃのカプラ６０はリング１８の全ての他のトラフィックと共にストリーム３２２を落とす。受信機１０２はストリーム３２２を受信し、ＡＤＮ１２ｃの１以上のクライアントにストリーム中の情報を通知するために使用される。ストリーム３２２はＡＤＮ１２ｃのカプラ６０によって転送され、ゲートウエー１４ｃに伝搬する。
【００８５】
ゲートウエー１４ｃのカプラ６０ａはＡＤＮ１２ｃから到来するリング１８上の（ストリーム３２２を含む）トラフィックを落として転送する。転送されたトラフィックはゲートウエー１４ｃのデマルチプレクサ２０６によってストリーム３２２を含む波長／チャネルの構成成分に分離される。分離されたストリーム３２２はデマルチプレクサ２０６から関連するスイッチ２１０に転送され、終端される。そのような終端はストリーム３２２のトラフィックはその宛先ＡＤＮ１２ｃに到達しているので適切である。カプラ６０ａから落とされたトラフィック中に含まれるドロップストリームは、関連する受信機１０２に対してλ１を通さないようにフィルタ１００を構築することで終端される。
【００８６】
したがって、図示のネットワークは同じ波長を用いて異なるリングで異なる情報を通信するように使用される。更に、同じ波長を用いて同じリングで異なる情報を通信するためにサブネットも実現可能である。更にこのトラフィックのいくつか（上記の例ではリング１８上のトラフィックストリーム３２２）はプレエンプタブルトラフィックと考えられるので、いかに説明されるようにリング１６及び／又は１８での障害時にＯＳＰＰＲプロテクションが実現可能である。
【００８７】
図９は本発明の一実施例による図８のトラフィックストリーム３２０についてのプロテクションスイッチング及び／又は光経路プロテクションを示すブロック図である。回線切断又は他の障害時に、プロテクトされるトラフィックストリーム用に代替的な光経路が作成され、そのトラフィックは障害に起因してそれらの宛先ノードに達することが遮られている。代替的な経路は同じチャネルのプリエンプタブルトラフィックと干渉することになるので、そのプリエンプタブルトラフィックは終端される。図示の例では、図８に示されるプリエンプタブルトラフィックストリーム３２２は、リング１８で代替的な光経路を用意するために終端される必要がある（トラフィックストリームはプロテクション経路でλ１で搬送されるからである。）。しかしながら、既に留意されているように、本発明の範囲から逸脱せずにトラフィックの他の分割法が使用されてもよいことが理解されるであろう。
【００８８】
図示の例では、回線切断３２４はトラフィックストリーム３２０がリング１６を通じてその宛先ノード（ＡＤＮ１２ａ）に達することを遮る。この不具合は１以上のノード又はネットワーク１０内の他の機器により検出され、ＮＭＳ１２６に報告されてもよい。ＮＭＳ１２６は、本実施例のＯＳＰＰＲプロテクションスイッチングプロトコルに従って、プリエンプタブルトラフィックストリーム３２２の終端を指示し、プロテクショントラフィック用にリング１８でのλ１の利用を解放する。プリエンプタブルトラフィックストリームが終端した後に、ＮＭＳ１２６はＡＤＮ１２ｄがリング１８を通じて新たなストリーム３２６でストリーム３２０の内容を伝送し始めるように指示する。
【００８９】
ストリーム３２０と同一内容を含む新たなプロテクションストリーム３２６はリング１８に関連する送信機１０４を用いてＡＤＮ１２ｄにて波長λ１で発信される（ある実施例では、１つの送信機がリング１６，１８の双方で同じ信号を送信してもよい。）。ストリーム３２６はリング１８に関連するＡＤＮ１２ｄのカプラ６０によりリング１８上の既存の光信号に加えられる。ＡＤＮ１２ｄを出た後に、ストリーム３２６はリング１８を通じてゲートウエー１４ｄに伝搬する。ゲートウエー１４ｄのカプラ６０ａはＡＤＮ１２ｄから到来する（ストリーム３２６を含む）リング１８上のトラフィックを落として転送する。転送されたトラフィックはゲートウエー１４ｄのデマルチプレクサ２０６によりλ１のストリーム３２６を含む波長／チャネルの構成成分に分離される。分離されたストリーム３２６はデマルチプレクサ２０６から関連するスイッチ２１０に転送される。このスイッチ２１０は図示の例ではストリーム３２６を通過させるように構築され、その理由は宛先のＡＤＮ１２ｄに到達していないからである。転送されたストリーム３２６はマルチプレクサ２０４を用いて他の転送されたトラフィックと共に再結合される。カプラ６０ａから落とされたトラフィックに含まれるドロップストリーム３２６は、関連する受信機１０２に対してλ１を通さないようにゲートウエー１４ｄのフィルタ１００を構築することで終端される。
【００９０】
ゲートウエー１４ｄを出た後に、ストリーム３２６はリング１８を通じてＡＤＮ１２ｃに伝搬する。ＡＮＤ１２ｃのカプラ６０はリング１８の全ての他のトラフィックと共にストリーム３２６を落とす。ストリーム３２６はＡＤＮ１２ｃ宛でないので、ＡＤＮ１２ｃのどのフィルタ１００もストリーム３２６を通すように構築されていない。ＡＤＮ１２ｃのカプラ６０はリング１８上のストリーム３２６を転送し、この転送されたストリーム３２６はリング１８を通じてゲートウエー１４ｃに伝搬し、ゲートウエー１４ｃはゲートウエー１４ｄと同様にストリーム３２６を処理する。言い換えれば、ゲートウエー１４ｃはどのローカルクライアントにもストリーム３２６を伝送せず、ゲートウエー１４ｃは多重／分離ユニット２１４によりストリーム３２６を通す。ゲートウエー１４ｃを出た後に、ストリーム３２６はＡＤＮ１２ｄで受信され、ＡＤＮ１２ｄはＡＤＮ１２ｃと同様にストリーム３２６を処理する。ストリーム３２６はリング１８を通じてゲートウエー１４ｂに伝搬し、ゲートウエー１４ｂはゲートウエー１４ｃ，１４ｄと同様にストリーム３２６を処理する。
【００９１】
ゲートウエー１４ｂを出た後に、ストリーム３２６はリング１８を通じてＡＤＮ１２ａに伝搬する。ＡＤＮ１２ａのカプラ６０はリング１８の全ての他のトラフィックと共にストリーム３２６を落とす。ストリーム３２６はＡＤＮ１２ａ宛であるので、ＡＤＮ１２ａのフィルタ１００はすとりーむ３２６を通すように構成されている。フィルタ１００に関連する受信機１０２はストリーム３２６を受信し、ＡＤＮ１２ａの１以上のクライアントにストリーム内の情報を転送する。ＡＤＮ１２ａのカプラ６０はリング１８上のストリーム３２６を転送し、この転送されたストリーム３２６はリング１８を通じてゲートウエー１４ａに伝搬する。
【００９２】
ゲートウエー１４ａのカプラ６０ａはＡＤＮ１２ａから到来する（ストリーム３２６を含む）リング１８上のトラフィックを落として転送する。カプラ６０ａにより落とされたトラフィックに含まれるドロップストリーム３２６は関連する受信機１０２に対してλ１を通さないようにフィルタ１００を構築することで終端される。転送されたトラフィックはゲートウエー１４ａのデマルチプレクサ２０６によりλ１のストリーム３２６を含む波長／チャネルの構成成分に分離される。分離されたストリーム３２６はデマルチプレクサ２０６から関連するスイッチ２１０に転送される。スイッチ２１０は図示の例ではストリーム３２６を終端するように構築され、その理由はストリーム３２６はその最終的な宛先に到達しているからである。ストリーム３２６のそのような終端はそれがＡＤＮ１２ｄに到達してしまうことを防ぎ、及びＡＤＮ１２ｄでリング１８に付加されるストリーム３２６中のトラフィックと干渉を生じてしまうことを防ぐ。リング１８の障害３２４はストリーム３２６がＡＤＮ１２ｄに到達することを妨げるが、ゲートウエー１４ａによるストリーム３２６の終端は、障害３２４が復旧した場合（及びネットワークがプロテクションスイッチング以前の状態に戻る前）の干渉を防ぐ。
【００９３】
このように、ＡＤＮ１２ｄからＡＤＮ１２ａへの代替的な経路が他のトラフィックとの干渉をもたらさずに形成される。障害３２４の復旧後に、ネットワークは図８に示されるプロテクションスイッチング前の状態に戻される。具体的には、プロテクショントラフィックストリーム３２６は終端され、プロテクトされるトラフィックストリームが（終端されていたならば）再開され、プレエンプタブルトラフィックストリームも再開される。
【００９４】
図１０は本発明の別の実施例による光ネットワーク例で保護されたプレエンプタブル信号例を示すブロック図である。これらの光信号例はＯＳＰＰＲネットワークの別の実施例を示す。図１０はプロテクトされるトラフィックストリームがゲートウエー１４から発信されるのに加えて（図８に示されるような）ＡＤＮ１２から発信されてもよいことを示す。図１０では参照の便宜を図るためにＡＤＮ１２及びゲートウエー１４の上位概念的な細部が示されている。ＡＤＮ１２及びゲートウエー１４の様々な素子を参照するのに使用される以下の参照番号は図２，４及び／又は５に関連するものである。
【００９５】
図示の例では２つの異なるトラフィックストリーム３３０，３３２が示されている。ストリーム３３０はプロテクトされるトラフィックストリームであり、ストリーム３３２はプレエンプタブルトラフィックストリームである。通常の動作中、プロテクトされるトラフィックストリーム３３０は時計回りにリング１６を伝搬する。これはゲートウエー１４から発信し、ＡＤＮ１２ａ宛である。図示の例ではプロテクトされるトラフィックストリーム３３０は波長λ１で伝送される。反時計回りにリング１８を伝搬するプレエンプタブルトラフィックストリーム３３２はＡＤＮ１２ｄから発信し、ゲートウエー１４ｃ宛である。図示の例ではプレエンプタブルトラフィックストリーム３３２も波長λ１で伝送される。図１１に示されるように、トラフィックストリーム３３２は、より高い優先度のトラフィックストリーム３３０を保護するためにプロテクションスイッチングの間中断される。
【００９６】
１つのプロテクトされるトラフィックストリーム３３０及び１つのプレエンプタブルトラフィックストリーム３３２が示されているが、サブネットを利用することで同一リング上で同一波長でプロテクトされる及び／又はプレエンプタブルの複数のトラフィックストリームが複数使用されてもよいことが理解されるべきである。更に、１つの波長例でトラフィックが説明されるが、プロテクトされるトラフィック及びプレエンプタブルなトラフィックはリング１６，１８で他の様々な波長／チャネルで送信されてもよいことが理解されるであろう。更に、プロテクトされるトラフィックはプレエンプタブルトラフィックと（別のリングで）同一波長で送信されるように示されているが、他の様々な形態が実現されてもよい。単なる例示として、プロテクトされるトラフィックがリング１６で奇数番号のチャネルで及びリング１８で偶数番号のチャネルで伝送されてもよい。プレエンプタブルトラフィックがリング１６で偶数番号のチャネルで及びリング１８で奇数番号のチャネルで伝送されてもよい。適切な他のいかなる形態が使用されてもよい。
【００９７】
プロテクトされるトラフィック３３０はリング１６に関連する送信機１０４を用いてゲートウエー１４ａで第1の波長λ１で発信される。ストリーム３３０はリング１６に関連するゲートウエー１４ａのカプラ６０によりリング１６の既存の光信号に加えられる。ゲートウエー１４ａを出た後に、ストリーム３３０はリング１６を通じてＡＤＮ１２ａに伝搬する。リング１６に関連するＡＤＮ１２ａのカプラはリング１６上の他の全てのトラフィックと共にストリーム３３０を落とす。ストリーム３３０はＡＤＮ１２ａ宛なので、ＡＤＮ１２ａのフィルタ１００はストリーム３３０を通すように構成されている。フィルタ１００に関連する受信機１０２はストリーム３００を受信するために使用され、そのストリームに含まれる情報をＡＤＮ１２ａの１以上のクライアントに転送する。ストリーム３３０はＡＤＮ１２ａのカプラ６０によっても転送され、ゲートウエー１４ｂに伝搬する。
【００９８】
ゲートウエー１４ｂのカプラ６０ａはＡＤＮ１２ａから到来する（ストリーム３３０を含む）リング１６上のトラフィックの除去及び転送の双方を行う。転送されたトラフィックはゲートウエー１４ｂのデマルチプレクサ２０６でλ１のストリームを含む波長／チャネルの構成成分に分離される。分離されたストリーム３３０はデマルチプレクサ２０６から関連するスイッチ２１０へ転送される。スイッチ２１０は図示の例ではストリーム３３０を終端するように構成されている。そのような終端はストリーム３３０のトラフィックは既に到達しているＡＤＮ１２ａ宛であるので適切な処理である。カプラ６０ａから落とされたトラフィックに含まれているドロップストリーム３３０は、関連する受信機１０２に対してλ１を通さないようにゲートウエー１４ｂのフィルタを構成することで同様に終端される。
【００９９】
プレエンプタブルトラフィックストリーム３３２はリング１８に関連する送信機１０４を用いてＡＤＮ１２ｄで波長λ１で発信される。ストリーム３３２はリング１８に関連するＡＤＮ１２ｄのカプラ６０によりリング１８上の既存の光信号に加えられる。ＡＤＮ１２ｄを出た後に、ストリーム３３２はリング１８を通じてゲートウエー１４ｄに伝搬する。ゲートウエー１４ｄのカプラ６０ａはＡＤＮ１２ｄから到来するリング１８上の（ストリーム３３２を含む）トラフィックの除去及び転送の双方を行う。転送されたトラフィックはゲートウエー１４ｄのデマルチプレクサ２０６によりλ１のストリームを含む波長／チャネルの構成成分に分離される。分離されたストリーム３３２はデマルチプレクサ２０６から関連するスイッチ２１０へ転送される。スイッチ２１０は図示の例ではストリーム３３２を通すように構成される（ストリーム３３２は最終的な宛先に到達していないからである。）。カプラ６０ａから落とされたトラフィックに含まれるドロップストリーム３３２は関連する受信機１０２に対してλ１を通さないようにフィルタ１００を構成することで終端される。
【０１００】
ゲートウエー１４ｄを出た後にストリーム３３２はリング１８を通じてＡＤＮ１２ｃに伝搬する。ＡＤＮ１２ｃのカプラ６０はリング１８の他の全てのトラフィックと共にストリーム３３２を落とす。ストリーム３３２はＡＤＮ１２ｃ宛ではないので、ＡＤＮ１２ｃのどのフィルタもストリーム３３２を通すように構成されない。ＡＤＮ１２ｃのカプラ６０はリング１８上でストリーム３３２を転送し、この転送されたストリームはリング１８を通じてゲートウエー１４ｃに伝搬する。ゲートウエー１４ｃのカプラ６０ａはＡＤＮ１２ｃから到来するリング１８上の（ストリーム３３２を含む）トラフィックの除去及び転送の双方を行う。カプラ６０ａから落とされたトラフィックに含まれるドロップストリーム３３２は関連する受信機１０２に対してλ１を通すようにゲートウエー１４ｃのフィルタを構成することでゲートウエー１４ｃの１以上のクライアントに転送される。転送されたトラフィックはゲートウエー１４ｃのデマルチプレクサによりλ１のストリーム３３２を含むチャネルの構成成分に分離される。分離されたストリーム３３２はデマルチプレクサ２０６から関連するスイッチ２１０に転送される。ストリーム３３２はその最終的な目的地（ゲートウエー１４ｃ）に到達しているので、スイッチ２１０は図示の例ではストリーム３３２を終端するように構成される。ストリーム３３２の終端はＡＤＮ１２ｄに達してしまうことを防ぎ、ＡＤＮ１２でリング１８に付加されるストリーム３３２と干渉してしまうことを防ぐ。
【０１０１】
従って、図８に示されるネットワークのように、図１０に示されるネットワークは同じ波長を用いて異なるリングで異なる情報を通信するために使用されてもよい。更に、同じ波長を用いて同じリングで異なる情報を通信するためにサブネットも使用可能である。更に、このトラフィックの一部（上記の例ではリング１８上のトラフィック３３２）はプリエンプタブルと考えられるので、いかに説明されるようにリング１６及び／又はリング１８での障害時にＯＳＰＰＲプロテクションが実現可能である。
【０１０２】
図１１は本発明の一実施例による図１０に関するトラフィックストリーム３３０のプロテクションスイッチング及び光経路プロテクションを示すブロック図である。図９に示される例のように、回線切断その他の障害時に、その障害に起因して宛先ノードに達することを遮られたプロテクトトラフィックストリームのために代わりの光経路が形成される。図示の例では、図１０に示されるプレエンプタブルトラフィックストリーム３３２はリング１８上で代替的な光経路を提供するために終端される必要がある（このトラフィックストリームはプロテクション経路でλ１で搬送されているからである。）。しかしながら、以前に言及されたように、本発明の範囲から逸脱せずにトラフィックの別の分割方法が使用されてもよいことは理解されるべきである。
【０１０３】
図示の例では回線切断３３４はトラフィックストリーム３３０がリング１６を通じてその宛先ノード（ＡＤＮ１２ａ）に達することを遮る。この問題の事態は１以上のノード又はネットワーク１０内の他の機器によって検出され、ＮＭＳ１２６に報告されてもよい。ＮＭＳ１２６は、この例のＯＳＰＰＲプロテクションスイッチングプロトコルに従って、プロテクショントラフィックのためにリング１８でのλ１の使用を開放するようにプレエンプタブルトラフィックストリーム３３２の終端を指示する。プレエンプタブルトラフィックストリームが終端された後に、ＮＭＳ１２６はリング１８を通じて新たなストリーム３３６内でストリーム３３０と同一内容を送信し始めるようにゲートウエー１４ａに指示してもよい。
【０１０４】
ストリーム３３０と同一内容を含む新たなプロテクションストリーム３３６はリング１８に関連する送信機１０４を用いてゲートウエー１４ａで波長λ１で発信される（但し、他の実施例では単独の送信機がリング１６，１８の双方で同じ信号を送信してもよい。）。ストリーム３３６はリング１８に関連するゲートウエー１４ａのカプラ６０によりリング１８上の既存の光信号に加えられる。ゲートウエー１４ａを出た後に、ストリーム３３６は、ＡＤＮ１２ｄ，１２ｃ，１２ｂに加えてゲートウエー１４ｄ，１４ｃ，１４ｂの各々を伝搬してリング１８を通じてＡＤＮ１２ａに伝搬する。ストリーム３３６がこれらのノード１２，１４を伝搬する仕方は上述の説明から明白である。
【０１０５】
ＡＤＮ１２ａのカプラ６０はリング１８上の他の全てのトラフィックと共にストリーム３３６を落とす。ストリーム３３６はＡＤＮ１２ａ宛なので、ＡＤＮ１２ａのフィルタ１１００はストリーム３３６を通すように構築されている。フィルタ１００に関連する受信機１０２はストリーム３３６を受信するために使用され、そのストリーム内の情報をＡＤＮ１２ａの適切なクライアントに転送する。ＡＤＮ１２ａのカプラ６０はリング１８上のストリーム３３６を転送する。転送されたストリーム３３６はそれが障害地点３３４に達して終端するまでリング１８を伝搬する。このように、他のトラフィックとの干渉をもたらさずにＡＤＮ１２ｄからＡＤＮ１２ａまでの代替的な経路が形成される。障害３３４の復旧後に、ネットワークは図１０に示されるプロテクションスイッチング前の状態に戻される。具体的には、プロテクショントラフィックストリーム３３６は終端され、プロテクトされるトラフィック３３０が（それが終端されていたならば）再開され、プレエンプタブルトラフィックストリーム３３２が再開される。ゲートウエー１４ａの多重／分離ユニット２１４はプロテクションスイッチング中にλ１のストリーム３３６を終端するように構築されることに留意すべきである。リング１８での障害３３４はストリーム３３６がゲートウエー１４ａに達することを遮るが、ゲートウエー１４ａによるストリーム３３６の終端は、障害３３４が復旧した後であってネットワークがプロテクションスイッチング前の状態に戻る前に必要とされる（ＡＤＮ１２ｄでリング１８に付加されるストリーム３３６との干渉を防ぐためである。）。
【０１０６】
以上本発明がいくつかの実施例と共に説明されたが、様々な変更及び修正が当業者に示唆されるであろう。本発明はそのような変更及び修正を添付の特許請求の範囲内に包含することが意図される。
【０１０７】
以下、本発明により教示される手段が例示的に列挙される。
【０１０８】
（付記１）
複数の波長で光トラフィックを伝送する光リング；
前記光リングに結合された複数の受動的な付加及び除去ノードであって、該受動的な付加及び除去ノードの各々は前記光リングに結合された光カプラを有し、該光カプラは前記光リング上の光トラフィックを受信し、光トラフィックの複製を受動的に除去すること及び同一の光トラフィックの複製を光リングで受動的に転送することの双方を行い、該光カプラにより転送された光トラフィックのどの部分も終端させない複数の受動的な付加及び除去ノード；及び
複数のゲートウエーノードであって、ゲートウエーノードの各々は前記光リングに結合され、光トラフィックの波長の各々を選択的に通過又は終端させる複数のゲートウエーノード；
を有し、前記受動的な付加及び除去ノードのどれも前記光リング内で互いに隣接しないように、前記受動的な付加及び除去ノードと前記ゲートウエーノードとが前記光リングに結合される
ことを特徴とする光ネットワーク。
【０１０９】
（付記２）
受動的な付加及び除去ノードの光カプラの各々が、トラフィックを光リングに受動的に付加する
ことを特徴とする付記１記載の光ネットワーク。
【０１１０】
（付記３）
前記受動的な付加及び除去ノードの各々が、受動的な付加／除去ノードの１以上のクライアントからのトラフィックを光リングに受動的に付加する第２の光カプラを有する
ことを特徴とする付記１記載の光ネットワーク。
【０１１１】
（付記４）
前記光リングが、第1方向にトラフィックを伝送する第1の光ファイバと、前記第1の方向とは逆の第２の方向にトラフィックを伝送する第２の光ファイバとを有する
ことを特徴とする付記１記載の光ネットワーク。
【０１１２】
（付記５）
受動的な付加及び除去ノードの各々が、光トラフィックのチャネル間隔によらず光トラフィックを付加及び除去する
ことを特徴とする付記１記載の光ネットワーク。
【０１１３】
（付記６）
ゲートウエーノードの各々が前記光リングに結合されたマルチプレクサ及びデマルチプレクサのユニットを有し、該マルチプレクサ及びデマルチプレクサのユニットは：
光トラフィックを構成成分の波長に分離するデマルチプレクサを有し；
特定の波長のトラフィックを選択的に転送又は終端させるスイッチを複数個を有し；
スイッチから転送されたトラフィックを受信及び結合するマルチプレクサを有する；
ことを特徴とする付記１記載の光ネットワーク。
【０１１４】
（付記７）
ゲートウエーノードの各々が：
前記光リングに結合され、光トラフィックを受信し、受信したトラフィックの第1の複製をマルチプレクサ及びデマルチプレクサのユニットに転送し、受信した光トラフィックの第２の複製をゲートウエーノードの１以上のクライアントに転送する第1の光カプラ；及び
前記光リングに結合され、マルチプレクサで結合された転送されたトラフィックを受信し、ゲートウエーノードの１以上のクライアントからトラフィックを受信し、光リングで転送するためにマルチプレクサからのトラフィックをクライアントからのトラフィックに結合する第２の光カプラ；
を有することを特徴とする付記６記載の光ネットワーク。
【０１１５】
（付記８）
どの受動的な付加及び除去ノードも光リング内で互いに隣接しないように複数の受動的な付加及び除去ノードと複数のゲートウエーノードとを有する、複数の波長で光トラフィックを搬送する光リングを用意し；
１以上の受動的な付加及び除去ノードの光カプラを利用して、光リングからの光トラフィックの複製を受動的に除去し、転送された光トラフィックのどの部分も終端させずに光リングで同一の光トラフィックの複製を受動的に転送し；
複数のゲートウエーノードの各々で光トラフィックの各波長を選択的に通過又は終端させる；
ことを特徴とする光トラフィックを通信する方法。
【０１１６】
（付記９）
１以上の受動的な付加及び除去ノードの光カプラを利用してトラフィックを光リングに受動的に付加する
ことを特徴とする付記８記載の方法。
【０１１７】
（付記１０）
受動的な付加及び除去ノードの各々の第２の光カプラを利用して、受動的な付加及び除去ノードの１以上のクライアントからのトラフィックを光リングに受動的に付加する
ことを特徴とする付記８記載の方法。
【０１１８】
（付記１１）
前記光リングが、第1方向にトラフィックを伝送する第1の光ファイバと、前記第1の方向とは逆の第２の方向にトラフィックを伝送する第２の光ファイバとを有する
ことを特徴とする付記８記載の方法。
【０１１９】
（付記１２）
受動的な付加及び除去ノードの各々が、光トラフィックのチャネル間隔によらず光トラフィックを付加及び除去する
ことを特徴とする付記８記載の方法。
【０１２０】
（付記１３）
各波長を選択的に通過又は終端させることが：
光トラフィックを波長の構成成分に分離すること；
各波長に関連するスイッチで各波長のトラフィックを選択的に転送又は終端すること；及び
スイッチから転送されたトラフィックを多重化すること；
により行われることを特徴とする付記８記載の方法。
【０１２１】
（付記１４）
ゲートウエーノードの第1の光カプラを利用して、光リングからの光トラフィックを、少なくとも１つのゲートウエーノードの１以上にクライアントに受動的に落とし；
ゲートウエーノードの第２の光カプラを利用して、ゲートウエーノードの１以上のクライアントからのトラフィックを光リングに受動的に付加する；
ことを特徴とする付記８記載の方法。
【図面の簡単な説明】
【０１２２】
【図１】本発明の一実施例による光ネットワークを示すブロック図である。
【図２】本発明の一実施例による付加／除去ノードの詳細を示すブロック図である。
【図３】本発明の一実施例による光カプラの詳細を示すブロック図である。
【図４】本発明の一実施例による光ゲートウエーの詳細を示すブロック図である。
【図５】本発明の別の実施例による光ゲートウエーの詳細を示すブロック図である。
【図６】本発明の一実施例による光単方向経路交換リング（ＯＵＰＳＲ）プロテクション機能を提供するため光ネットワーク例内の付加／除去ノードからの光経路例を示すブロック図である。
【図７】本発明の一実施例によるＯＵＰＳＲプロテクション機能を提供するため光ネットワーク例内の光ゲートウエーからの光経路例を示すブロック図である。
【図８】本発明の一実施例による光ネットワーク例で保護された先取可能な信号例を示すブロック図である。
【図９】本発明の一実施例による図８のネットワークで保護された信号についての光共用経路プロテクションリング（ＯＳＰＰＲ）スイッチングの様子を示す。
【図１０】本発明の別の実施例による光ネットワーク例で保護された先取可能な別の信号例を示すブロック図である。
【図１１】本発明の一実施例による図１０のネットワークで保護された信号のＯＳＰＰＲプロテクションスイッチングを示すブロック図である。
【符号の説明】
【０１２３】
１２  付加及び除去ノード
１４  ゲートウエー
１６，１８  光リング
５０  伝送要素
６０  カプラ
６４  増幅器
６６  ＯＳＣフィルタ
７０  コネクタ
８０  分配／結合要素
８２  スプリッタ
８４  コンバイナ
８６  ドロップリード
８８  付加リード
１００  フィルタ
１０２  受信機
１０４  送信機
１１２  ＯＳＣ受信機
１１４  ＯＳＣインターフェース
１１６  ＯＳＣ送信機
１２４  要素管理システム（ＥＭＳ）
１２６  ネットワーク管理システム（ＮＭＳ）
１５０，１５２，１５４，１５６  ＯＳＣファイバセグメント
１８０  メインボディ
１８２，１８４，１８６，１８８  セグメント
２００  伝送要素
２０４  マルチプレクサ
２０６  デマルチプレクサ
２１０  スイッチ
２１４  多重／分離ユニット
３００，３０２，３１０，３１２，３２０，３２２，３３０，３３２，３３６  トラフィックストリーム
３２４，３３４  障害
【図１】
2006020308.tif 000003
【図２】
2006020308.tif 000004
【図３】
2006020308.tif 000005
【図４】
2006020308.tif 000006
【図５】
2006020308.tif 000007
【図６】
2006020308.tif 000008
【図７】
2006020308.tif 000009
【図８】
2006020308.tif 000010
【図９】
2006020308.tif 000011
【図１０】
2006020308.tif 000012
【図１１】
2006020308.tif 000013